(57)【要約】記録再生装置（１）は、記録媒体（１００）から読み取られた読取信号（ＲＲＦ）に対して、可変に設定可能なオフセット値（ＯＦＳ）を付加するオフセット付加手段（１９−１、１９−２）と、オフセット値が付加された読取信号のうち長マークに対応する読取信号に生ずる波形歪みを補正する補正手段（１８）と、波形歪みが補正された読取信号に対して波形等化処理を行う波形等化手段（１５）とを備える。
2008068856.tif 000002
【特許請求の範囲】
【請求項１】
記録媒体から読み取られた読取信号に対して、可変に設定可能なオフセット値を付加するオフセット付加手段と、
前記オフセット付加手段により前記オフセット値が付加された読取信号のうち少なくとも長マークに対応する読取信号に生ずる波形歪みを補正する補正手段と、
前記波形歪みが補正された前記読取信号に対して波形等化処理を行う波形等化手段と
を備えることを特徴とする情報再生装置。
【請求項２】
前記オフセット付加手段は、前記読取信号に対して前記オフセット値を付加することで、前記読取信号のリファレンスレベルにオフセットを加えることを特徴とする請求の範囲第１項に記載の情報再生装置。
【請求項３】
前記オフセット値は、(i)前記読取信号のうち最大振幅を得られる読取信号の振幅中心と、前記読取信号のうちランレングスが最も短い記録データを読み取った際に得られる読取信号の振幅中心のずれ量を示すアシンメトリ値、(ii)前記読取信号の振幅中心の平均値を示す全体β値、及び(iii)前記読取信号のうちランレングスが最も短い記録データを読み取った際に得られる読取信号の振幅中心と、前記読取信号のうちランレングスが２番目に短い記録データを読み取った際に得られる読取信号の振幅中心とのずれを示す部分β値の少なくとも一つに基づいて設定されることを特徴とする請求の範囲第１項に記載の情報再生装置。
【請求項４】
前記オフセット値は、前記アシンメトリ値に、前記読取信号中に含まれる記録データに対するランレングスが最も短い記録データの、前記ランレングスを考慮しない出現確率を乗じた値であることを特徴とする請求の範囲第３項に記載の情報再生装置。
【請求項５】
前記オフセット値は、前記全体β値に、前記読取信号中に含まれる記録データに対するランレングスが最も短い記録データの、前記ランレングスを考慮しない出現確率を乗じた値であることを特徴とする請求の範囲第３項に記載の情報再生装置。
【請求項６】
前記オフセット値は、前記部分β値に、前記読取信号中に含まれる記録データに対するランレングスが最も短い記録データの、前記ランレングスを考慮した出現確率を乗じた値であることを特徴とする請求の範囲第３項に記載の情報再生装置。
【請求項７】
前記オフセット値は、前記読取信号のリファレンスレベルと、前記読取信号のうちランレングスが最も短い記録データを読み取った際に得られる読取信号の振幅中心との位置関係に基づいて設定されることを特徴とする請求の範囲第１項に記載の情報再生装置。
【請求項８】
前記オフセット値は、前記読取信号のリファレンスレベルと、前記読取信号のうちランレングスが最も短い記録データを読み取った際に得られる読取信号の振幅中心とのずれを示す値であることを特徴とする請求の範囲第１項に記載の情報再生装置。
【請求項９】
前記波形等化手段は、
前記波形歪みが補正された前記読取信号の振幅レベルを所定の振幅制限値にて制限して振幅制限信号を取得する振幅制限手段と、
前記振幅制限信号に対して高域強調フィルタリング処理を行うことで等化補正信号を取得するフィルタリング手段と
を備えることを特徴とする請求の範囲第１項に記載の情報再生装置。
【請求項１０】
前記オフセット付加手段は、(i)前記読取信号のエラー訂正が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記オフセット値を付加することを特徴とする請求の範囲第１項に記載の情報再生装置。
【請求項１１】
前記補正手段は、(i)前記読取信号のエラー訂正が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記波形歪みを補正することを特徴とする請求の範囲第１項に記載の情報再生装置。
【請求項１２】
前記長マークは、信号レベルが最大振幅となるマークであることを特徴とする請求の範囲第１項に記載の情報再生装置。
【請求項１３】
記録媒体から読み取られた読取信号に対して、可変に設定可能なオフセット値を付加するオフセット付加工程と、
前記オフセット付加手段により前記オフセット値が付加された読取信号のうち少なくとも長マークに対応する読取信号に生ずる波形歪みを補正する補正工程と、
前記波形歪みが補正された前記読取信号に対して波形等化処理を行う波形等化工程と
を備えることを特徴とする情報再生方法。
【請求項１４】
記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える情報再生装置に備えられたコンピュータを制御する再生制御用のコンピュータプログラムであって、
該コンピュータを、前記オフセット手段、前記補正手段及び前記波形等化手段の少なくとも一部として機能させることを特徴とする再生制御用のコンピュータプログラム。
【発明の詳細な説明】
【技術分野】
【０００１】
本発明は、例えば記録媒体に記録された記録データの再生を行う情報再生装置及び方法であって、特に記録媒体に記録された記録データを読み取ることで得られる読取信号に対してフィルタリング処理等の波形等化を行う情報再生装置及び方法、並びにコンピュータをこのような情報再生装置として機能させるコンピュータプログラムの技術分野に関する。
【背景技術】
【０００２】
記録データが高密度記録されている記録媒体から読み取られた読取信号のＳＮ比を改善すべく、かかる読取信号に対して高域を強調するフィルタリング処理を施して波形等化を行う技術が知られている。特に、特許文献１によれば、読取信号の振幅制限を行った後にフィルタリング処理を行うことで、符号間干渉を生じさせることなく、高域を強調することができる技術（いわゆるリミットイコライザに関する技術）が開示されている。【０００３】
【特許文献１】特許第３４５９５６３号
【発明の開示】
【発明が解決しようとする課題】
【０００４】
ここで、読取信号には波形歪みが生じ得る。波形歪みとは、本来とるべき信号レベルと実際に読取信号に現れた信号レベルとの間にずれが生じている状態を示す。このような波形歪みが、リミットイコライザにおける振幅制限を行う範囲内に含まれてしまうと（つまり、波形歪みとリミットイコライザにおける振幅制限値との干渉性が高くなるほど）、振幅制限の後に行われる高域強調によって波形歪みがより一層強調されることにつながる。これにより、例えばランレングスが相対的に長いマークを他のマークと誤判別してしまう不都合につながりかねない。具体的には、例えば、ランレングスが８Ｔのマークを、ランレングスが４Ｔのマークと、ランレングスが２Ｔのスペースと、ランレングスが２Ｔのマークとして誤判別してしまう不都合につながりかねない。【０００５】
マークの誤判別という不都合は、リミットイコライザに限らず、例えばＰＲＭＬ（Partial Response Maximum Likelihood）システム等の各種波形等化器においても発生し得る。【０００６】
本発明は、例えば上述した従来の問題点に鑑みなされたものであり、例えば波形歪みが生じている場合においても好適に記録データを再生することができる情報再生装置及び方法、並びにコンピュータプログラムを提供することを課題とする。
【課題を解決するための手段】
【０００７】
上記課題を解決するために、本発明の情報再生装置は、記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える。【０００８】
上記課題を解決するために、本発明の情報再生方法は、記録媒体から読み取られた読取信号に対して、可変に設定可能なオフセット値を付加するオフセット付加工程と、前記オフセット手段により前記オフセット値が付加された読取信号のうち少なくとも長マークに対応する読取信号に生ずる波形歪みを補正する補正工程と、前記波形歪みが補正された前記読取信号に対して波形等化処理を行う波形等化工程とを備える。【０００９】
上記課題を解決するために、本発明のコンピュータプログラムは、記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える情報再生装置に備えられたコンピュータを制御する再生制御用のコンピュータプログラムであって、該コンピュータを、前記オフセット手段、前記補正手段及び前記波形等化手段の少なくとも一部として機能させる。【００１０】
本発明の作用及び他の利得は次に説明する実施の形態から明らかにされよう。
【図面の簡単な説明】
【００１１】
【図１】本実施例に係る情報再生装置の基本構成を概念的に示すブロック図である。
【図２】本実施例に係るリミットイコライザの構成を概念的に示すブロック図である。
【図３】振幅制限値の上限及び下限の設定動作を、サンプル値系列上で概念的に示す波形図である。
【図４】高域強調読取サンプル値系列の取得動作を、サンプル値系列上で概念的に示す波形図である。
【図５】波形歪みの第１の例を概念的に示す波形図である。
【図６】波形歪みの第２の例を概念的に示す波形図である。
【図７】加算器、オフセット付加回路及び波形歪み補正回路の動作の流れを概念的に示すフローチャートである。
【図８】波形歪み補正回路の構成を概念的に示すブロック図である。
【図９】波形歪み補正回路による波形歪みの補正動作を、サンプル値系列上で概念的に示す波形図である。
【図１０】波形歪みの補正前後における読取信号の波形等を概念的に示す波形図である。
【図１１】波形歪みが補正されない場合及び波形歪みが補正される場合の夫々における高域強調読取サンプル値系列の取得動作を、サンプル値系列上で概念的に示す波形図である。
【図１２】波形歪み率に対するシンボルエラーレートの変化を示すグラフである。
【図１３】アシンメトリ値を概念的に示す波形図である。
【図１４】読取信号の振幅で正規化されたオフセット値に対するシンボルエラーレートの変化を示すグラフである。
【図１５】アシンメトリ値に対する読取信号の振幅で正規化されたオフセット値の変化を示すグラフであ。
【図１６】各ランレングスの記録データの出現確率を示す表である。
【図１７】アシンメトリの変化に応じたｍｉｎＴに対応する読取信号の波形を概念的に示す波形図である
【図１８】波形歪みの補正前後における読取信号の他の波形等を概念的に示す波形図である。
【図１９】全体β値を概念的に示す波形図である。
【図２０】読取信号の振幅で正規化された全体β値に対する読取信号の振幅で正規化されたオフセット値の変化を示すグラフである。
【図２１】部分β値を概念的に示す波形図である。
【図２２】読取信号の振幅で正規化された部分β値に対する読取信号の振幅で正規化されたオフセット値の変化を示すグラフである。
【図２３】α値を概念的に示す波形図である。
【図２４】加算器、オフセット付加回路及び波形歪み補正回路の他の動作の流れを概念的に示すフローチャートである。
【図２５】加算器、オフセット付加回路及び波形歪み補正回路の他の動作の流れを概念的に示すフローチャートである。
【図２６】第１変形例に係る情報再生装置が備える波形歪み補正回路による波形歪みの補正動作を、サンプル値系列上で概念的に示す波形図である。
【図２７】第１変形例に係る情報再生装置が備える波形歪み補正回路の構成を概念的に示すブロック図である。
【図２８】第２変形例に係る情報再生装置が備える波形歪み補正回路による波形歪みの補正動作を、サンプル値系列上で概念的に示す波形図である。
【図２９】第２変形例に係る情報再生装置が備える波形歪み補正回路の構成を概念的に示すブロック図である。
【図３０】第３変形例に係る情報再生装置が備える波形歪み補正回路による波形歪みの補正動作を、サンプル値系列上で概念的に示す波形図である。
【図３１】第３変形例に係る情報再生装置が備える波形歪み補正回路の構成を概念的に示すブロック図である。
【図３２】第４変形例に係る情報再生装置が備える波形歪み補正回路による波形歪みの補正動作を、サンプル値系列上で概念的に示す波形図である。
【図３３】第４変形例に係る情報再生装置が備える波形歪み補正回路の構成を概念的に示すブロック図である。
【図３４】第５変形例に係る情報再生装置が備える波形歪み補正回路による波形歪みの補正動作を、第１の読取信号上で概念的に示すタイミングチャートである。
【図３５】第５変形例に係る情報再生装置が備える波形歪み補正回路による波形歪みの補正動作を、第２の読取信号上で概念的に示すタイミングチャートである。
【図３６】第５変形例に係る情報再生装置が備える波形歪み補正回路による第１の動作の流れを概念的に示すフローチャートである。
【図３７】第５変形例に係る情報再生装置が備える波形歪み補正回路による第２の動作の流れを概念的に示すフローチャートである。
【図３８】第６変形例に係る情報再生装置が備える波形歪み補正回路の構成を概念的に示すブロック図である。
【図３９】第６変形例に係る情報再生装置が備える波形歪み補正回路が備える波形歪み検出回路の構成を概念的に示すブロック図である。
【図４０】再生専用型の光ディスクの記録面上のマークの様子を模式的に示す平面図である。
【符号の説明】
【００１２】
１、２  情報再生装置
１０  スピンドルモータ
１１  ピックアップ
１２  ＨＰＦ
１３  Ａ／Ｄ変換器
１４  プリイコライザ
１５  リミットイコライザ
１６  ２値化回路
１７  復号回路
１８  波形歪み補正回路
１８１  遅延調整回路
１８２  歪み補正値検出回路
１８３  マーク／スペース長検出回路
１８４  タイミング生成回路
１８５  セレクタ
１８６  波形歪み検出回路
１９−１  加算器
１９−２  オフセット生成回路
１５１  振幅制限値設定ブロック
１５１６  平均化回路
１５２  振幅制限ブロック
１５２２  補間フィルタ
１５２３  リミッタ
１５３  高域強調ブロック
【発明を実施するための最良の形態】
【００１３】
以下、発明を実施するための最良の形態として、本発明の情報再生装置及び方法、並びにコンピュータプログラムに係る実施形態の説明を進める。【００１４】
（情報再生装置の実施形態）
本発明の情報再生装置に係る実施形態は、記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える。【００１５】
本発明の情報再生装置に係る実施形態によれば、オフセット付加手段の動作により、読取信号に対して、オフセット値が付加される。オフセット値は、可変に設定することができ、適宜オフセット値を変化させることができる。このとき、オフセット値の付加は、読取信号毎に１回ずつ行われるように構成してもよいし、読取信号毎に複数回段階的に行われるように構成してもよい。【００１６】
その後、補正手段の動作により、少なくとも長マーク（例えば、記録媒体がＤＶＤであればランレングス７Ｔから１１Ｔ及び１４Ｔのマークであり記録媒体がＢｌｕ−ｒａｙ  Ｄｉｓｃであればランレングス６Ｔから９Ｔのマーク）に対応する読取信号に生ずる波形歪みが補正される。ここでは、波形歪みが、波形等化手段による波形等化（具体的には、例えば、後述の振幅制限及び高域強調フィルタリング）に悪影響を与えなくなるように、波形歪みが（より具体的には、例えば波形歪みの信号レベル等）が補正されることが好ましい。【００１７】
その後、波形等化手段の動作により、波形歪みが補正された読取信号に対して波形等化処理が行われる。その後、波形等化処理が行われた読取信号に対して、各種信号処理（例えば、２値化処理や復号処理等）が行われることで、記録データの再生が行われる。【００１８】
このように、オフセット値を読取信号に付加した後に、該読取信号の波形歪み補正が行われるため、仮に相対的に大きなアシンメトリが読取信号に生じている場合であっても、本来リファレンスレベル以上となることが想定される、ランレングスが相対的に短い記録データを構成するスペースの信号レベルが、リファレンスレベル（或いは、ゼロレベル、以下同じ）以下となる不都合を好適に防ぐことができる。仮に、ランレングスが相対的に短い記録データを構成するスペースの信号レベルがリファレンスレベル以下であれば、該記録データを波形歪みと誤認識してしまいかねない。しかるに、アシンメトリが生ずることに起因して、本来リファレンスレベル以上となることが想定される、ランレングスが相対的に短い記録データを構成するスペースの信号レベルが、リファレンスレベル以下となってしまった場合であっても、オフセット値を読取信号に付加することにより、該スペースの信号レベルがリファレンスレベル以上とすることができる。つまり、ランレングスが相対的に短い記録データを波形歪みと誤認識してしまう不都合を好適に防止することができる。尚、ここでは、記録データを記録することで反射率が減少する（言い換えれば、マークの反射率がスペースの反射率よりも小さい）記録媒体を対象としている。【００１９】
同様に、記録データを記録することで反射率が増加する（言い換えれば、マークの反射率がスペースの反射率よりも大きい）記録媒体においても、仮に相対的に大きなアシンメトリが読取信号に生じている場合であっても、本来リファレンスレベル以下となることが想定される、ランレングスが相対的に短い記録データを構成するスペースの信号レベルが、リファレンスレベル（或いは、ゼロレベル、以下同じ）以上となる不都合を好適に防ぐことができる。仮に、ランレングスが相対的に短い記録データを構成するスペースの信号レベルがリファレンスレベル以上であれば、該記録データを波形歪みと誤認識してしまいかねない。しかるに、アシンメトリが生ずることに起因して、本来リファレンスレベル以下となることが想定される、ランレングスが相対的に短い記録データを構成するスペースの信号レベルが、リファレンスレベル以上となってしまった場合であっても、オフセット値を読取信号に付加することにより、該スペースの信号レベルがリファレンスレベル以下とすることができる。つまり、ランレングスが相対的に短い記録データを波形歪みと誤認識してしまう不都合を好適に防止することができる。【００２０】
更に、波形等化手段による波形等化処理が行われる前に、読取信号に生ずる波形歪みが補正されるため、記録媒体から読み取られた読取信号に波形歪みが生じていたとしても、該波形歪みが波形等化処理に悪影響を与えることは殆ど或いは全くなくなる。より具体的には、例えば、波形歪みがより一層強調されてしまう或いは波形歪みが残留してしまう不都合を好適に防止することができる。つまり、波形歪みを補正することで、例えば、長マークを他のマークと誤判別してしまう不都合を好適に防止することができる。これにより、波形等化手段において、読取信号の波形等化処理を好適に行うことができる。その結果、好適に記録データを再生することができる。【００２１】
このように、本実施形態に係る情報再生装置によれば、波形歪みが生じている場合においても、良好に波形等化を行うことができる。その結果、波形歪みが生じている場合においても、好適に記録データを再生することができる。【００２２】
本発明の情報再生装置に係る実施形態の一の態様は、前記オフセット付加手段は、前記読取信号に対して前記オフセット値を付加することで、前記読取信号のリファレンスレベルにオフセットを加える。【００２３】
この態様によれば、読取信号に対するオフセット値の付加が、リファレンスレベルのオフセットにつながるため、上述した各種効果を好適に享受することができる。【００２４】
本発明の情報再生装置に係る実施形態の他の態様は、前記オフセット値は、(i)前記読取信号のうち最大振幅を得られる読取信号の振幅中心と、前記読取信号のうちランレングスが最も短い記録データを読み取った際に得られる読取信号の振幅中心のずれ量を示すアシンメトリ値、(ii)前記読取信号の振幅中心の平均値を示す全体β値、及び(iii)前記読取信号のうちランレングスが最も短い記録データを読み取った際に得られる読取信号の振幅中心と、前記読取信号のうちランレングスが２番目に短い記録データを読み取った際に得られる読取信号の振幅中心とのずれを示す部分β値の少なくとも一つに基づいて設定される。【００２５】
この態様によれば、ランレングスが異なる各記録データを読み取った際に得られる各読取信号の振幅ずれ又は振幅中心ずれ等の影響を考慮して、オフセット値を設定することができる。つまり、実際に発生しているアシンメトリ値やβ値（具体的には、全体β値や部分β値）に応じた最適なオフセット値を設定することができる。【００２６】
上述の如くアシンメトリ値、全体β値及び部分β値の少なくとも一つに応じてオフセット値を設定する情報再生装置の態様では、前記オフセット値は、前記アシンメトリ値に、前記読取信号中に含まれる記録データに対するランレングスが最も短い記録データの、ランレングスを考慮しない出現確率を乗じた値であるように構成してもよい。【００２７】
このように構成すれば、実際に発生しているアシンメトリ値と、波形歪みの誤認識の対象となりやすいランレングスが最も短い記録データの出現確率に応じた最適なオフセット値を付加することができる。【００２８】
尚、本実施形態における「ランレングスを考慮しない出現確率」とは、ランレングスの長短に関わらず、各ランレングスの記録データが１回出現するたびに１の出現頻度が割り当てられることで算出される出現確率である。例えば、ある範囲の読取信号中に、ランレングスがａＴの記録データがＡ個、ランレングスがｂＴの記録データがＢ個、ランレングスがｃＴの記録データがＣ個存在している場合には、ランレングスがａＴの記録データの出現確率はＡ／（Ａ＋Ｂ＋Ｃ）であり、ランレングスがｂＴの記録データの出現確率はＢ／（Ａ＋Ｂ＋Ｃ）であり、ランレングスがｃＴの記録データの出現確率はＣ／（Ａ＋Ｂ＋Ｃ）である。【００２９】
上述の如くアシンメトリ値、全体β値及び部分β値の少なくとも一つに応じてオフセット値を設定する情報再生装置の態様では、前記オフセット値は、前記全体β値に、前記読取信号中に含まれる記録データに対するランレングスが最も短い記録データの、ランレングスを考慮しない出現確率を乗じた値であるように構成してもよい。【００３０】
このように構成すれば、実際に発生している全体β値と、波形歪みの誤認識の対象となりやすいランレングスが最も短い記録データの出現確率に応じた最適なオフセット値を付加することができる。【００３１】
前記オフセット値は、前記部分β値に、前記読取信号中に含まれる記録データに対するランレングスが最も短い記録データの、前記ランレングスを考慮した出現確率を乗じた値であることを特徴とする請求の範囲第３項に記載の情報再生装置。【００３２】
このように構成すれば、実際に発生している部分β値と、波形歪みの誤認識の対象となりやすいランレングスが最も短い記録データの出現確率に応じた最適なオフセット値を付加することができる。【００３３】
尚、本実施形態における「ランレングスを考慮した出現確率」とは、ランレングスの長短を考慮して、各ランレングスの記録データが１回出現するたびにランレングスに応じた重み付けがなされた出現頻度が割り当てられることで算出される出現確率である。例えば、ある範囲の読取信号中に、ランレングスがａＴの記録データがＡ個、ランレングスがｂＴの記録データがＢ個、ランレングスがｃＴの記録データがＣ個存在している場合には、ランレングスがａＴの記録データの出現確率はａ×Ａ／（ａ×Ａ＋ｂ×Ｂ＋ｃ×Ｃ）であり、ランレングスがｂＴの記録データの出現確率はｂ×Ｂ／（ａ×Ａ＋ｂ×Ｂ＋ｃ×Ｃ）であり、ランレングスがｃＴの記録データの出現確率はｃ×Ｃ／（ａ×Ａ＋ｂ×Ｂ＋ｃ×Ｃ）である。【００３４】
本発明の情報再生装置に係る実施形態の他の態様は、前記オフセット値は、前記読取信号のリファレンスレベルと、前記読取信号のうちランレングスが最も短い記録データを読み取った際に得られる読取信号の振幅中心との位置関係に基づいて設定される。【００３５】
この態様によれば、リファレンスレベルとランレングスが最も身近記録データを読み取った際に得られる読取信号の振幅中心との実際の位置関係に応じた最適なオフセット値を設定することができる。【００３６】
上述の如くリファレンスレベルと、ランレングスが最も短い記録データを読み取った際に得られる読取信号の振幅中心との位置関係に基づいてオフセット値を付加する情報再生装置の態様では、前記オフセット値は、前記読取信号のリファレンスレベルと、前記読取信号のうちランレングスが最も短い記録データを読み取った際に得られる読取信号の振幅中心とのずれを示す値であるように構成してもよい。【００３７】
このように構成すれば、リファレンスレベルとランレングスが最も身近記録データを読み取った際に得られる読取信号の振幅中心との実際のずれに応じた最適なオフセット値を設定することができる。【００３８】
本発明の情報再生装置に係る実施形態の他の態様は、前記波形等化手段は、前記波形歪みが補正された前記読取信号の振幅レベルを所定の振幅制限値にて制限して振幅制限信号を取得する振幅制限手段と、前記振幅制限信号に対して高域強調フィルタリング処理を行うことで等化補正信号を取得するフィルタリング手段とを備える。【００３９】
この態様によれば、振幅制限手段の動作により、波形歪みが補正された読取信号（以下、適宜“歪み補正信号”と称する）の振幅レベルが制限される。具体的には、歪み補正信号のうち振幅レベルが振幅制限値の上限よりも大きい又は下限より小さい信号成分は、振幅レベルが振幅制限値の上限又は下限に制限される。他方、歪み補正信号のうち振幅レベルが振幅制限値の上限以下且つ下限以上である信号成分は、振幅レベルが制限されることはない。このように振幅レベルの制限が施された歪み補正信号は、振幅制限信号としてフィルタリング手段へ出力される。フィルタリング手段においては、振幅制限信号に対して高域強調フィルタリング処理を行う。その結果、等化補正信号が取得される。その後は、等化補正信号に対して、例えば２値化処理や復号化処理等が行われる。これにより、記録媒体に記録された記録データ（例えば、映像データや音声データ等）の再生処理を行うことができる。【００４０】
これにより、フィルタリング手段上において、読取信号（又はそのサンプル値）のばらつき（つまり、ジッタ）の発生を抑制することができ、その結果、符号間干渉を生じさせることなく、読取信号の高域強調を行うことができる。【００４１】
更に、波形等化手段による波形等化処理が行われる前に、読取信号に生ずる波形歪みが補正されるため、記録媒体から読み取られた読取信号に波形歪みが生じていたとしても、該波形歪みが振幅制限及び高域強調フィルタリングに悪影響を与えることは殆ど或いは全くなくなる。より具体的には、例えば、波形歪みが振幅制限値の上限以下の値となったり或いは下限以上の値となることに起因して、波形歪みがより一層強調されてしまう不都合を好適に防止することができる。つまり、波形歪みを補正することで、波形歪みと振幅制限値との干渉性を低く抑えることができる。この結果、例えば、長マークを他のマークと誤判別してしまう不都合を好適に防止することができる。これにより、リミットイコライザ（つまり、振幅制限手段及びフィルタリング手段）において、読取信号の高域強調を好適に行うことができる。【００４２】
本発明の情報再生装置に係る実施形態の他の態様は、前記オフセット付加手段は、(i)前記読取信号のエラー訂正（より具体的には、読取信号から得られる記録データのエラー訂正）が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記オフセット値を付加する。【００４３】
この態様によれば、このような場合に選択的にオフセット値を付加することで、情報再生装置の負荷を低減させつつ、上述した各種効果を享受することができる。【００４４】
更には、エラー訂正が不能か否か、エラーレートが所定の閾値以上であるか否か、又は同期データを読み取ることが可能か否かを適宜モニタリングしながらオフセット値を付加する（特に、オフセット値を適宜変化させながら）ことで、最適なオフセット値を比較的容易に実現することができる。【００４５】
本発明の情報再生装置に係る実施形態の他の態様は、前記補正手段は、(i)前記読取信号のエラー訂正が不能である場合、(ii)前記読取信号のエラーレートが所定の閾値以上である場合、又は(iii)記録データに含まれるユーザデータを読み取るために用いられ且つ前記記録データに含まれる同期データに相当する読取信号を読み取ることができない場合に、前記波形歪みを補正することを特徴とする請求の範囲第１項に記載の情報再生装置。【００４６】
この態様によれば、このような場合に選択的に波形歪みを補正することで、情報再生装置の負荷を低減させつつ、上述した各種効果を享受することができる。【００４７】
特に、シーケンシャル記録のみが許可されている記録媒体とは異なって、ランダム記録が許可されている記録媒体においては、様々な記録状態が混在している。この場合、波形歪みが不連続にないしは離散的に分布したり或いはしていなかったりする読取信号を読み取ったり、大小様々な信号レベルを有する読み取り信号を読み取る必要がある。従って、通常は波形歪みを補正することなく記録データを再生し、上述した場合に選択的に波形歪みを補正しながら記録データを再生することで、情報再生装置の負荷を低減させつつ、上述した各種効果を享受することができる。【００４８】
本発明の情報再生装置に係る実施形態の他の態様は、前記長マークは、信号レベルが最大振幅となるマークである。【００４９】
この態様によれば、このような長マークに対応する読取信号に生ずる波形歪みを好適に補正することができる。【００５０】
（情報再生方法の実施形態）
本発明の情報再生方法に係る実施形態は、記録媒体から読み取られた読取信号に対して、可変に設定可能なオフセット値を付加するオフセット付加工程と、前記オフセット手段により前記オフセット値が付加された読取信号のうち少なくとも長マークに対応する読取信号に生ずる波形歪みを補正する補正工程と、前記波形歪みが補正された前記読取信号に対して波形等化処理を行う波形等化工程とを備える。【００５１】
本発明の情報再生方法に係る実施形態によれば、上述した本発明の情報再生装置に係る実施形態が享受することができる各種効果と同様の効果を享受することができる。【００５２】
尚、上述した本発明の情報再生装置に係る実施形態における各種態様に対応して、本発明の情報再生方法に係る実施形態も各種態様を採ることが可能である。【００５３】
（コンピュータプログラムの実施形態）
本発明のコンピュータプログラムに係る実施形態は、記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える情報再生装置（即ち、上述した本発明の情報再生装置に係る実施形態（但し、その各種態様を含む））に備えられたコンピュータを制御する再生制御用のコンピュータプログラムであって、該コンピュータを、前記オフセット付加手段、前記補正手段及び前記波形等化手段の少なくとも一部として機能させる。【００５４】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００５５】
尚、上述した本発明の情報再生装置に係る実施形態における各種態様に対応して、本発明のコンピュータプログラムに係る実施形態も各種態様を採ることが可能である。【００５６】
本発明のコンピュータプログラム製品に係る実施形態は、記録媒体から読み取られた読取信号に対して、可変に設定可能なオフセット値を付加するオフセット付加手段と、前記オフセット付加手段により前記オフセット値が付加された読取信号のうち少なくとも長マークに対応する読取信号に生ずる波形歪みを補正する補正手段と、前記波形歪みが補正された前記読取信号に対して波形等化処理を行う波形等化手段とを備える情報再生装置（即ち、上述した本発明の情報再生装置に係る実施形態（但し、その各種態様を含む））に備えられたコンピュータにより実行可能なプログラム命令を明白に具現化し、該コンピュータを、前記オフセット手段、前記補正手段及び前記波形等化手段のうち少なくとも一部として機能させる。【００５７】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報再生装置に係る実施形態として機能させるコンピュータ読取可能なコード（或いはコンピュータ読取可能な命令）から構成されてよい。【００５８】
尚、上述した本発明の情報再生装置に係る実施形態における各種態様に対応して、本発明のコンピュータプログラム製品に係る実施形態も各種態様を採ることが可能である。【００５９】
本実施形態のこのような作用及び他の利得は次に説明する実施例から更に明らかにされよう。【００６０】
以上説明したように、本発明の情報再生装置に係る実施形態によれば、オフセット付加手段と、補正手段と、波形等化手段とを備える。本発明の情報再生方法に係る実施形態によれば、オフセット付加工程と、補正工程と、波形等化工程とを備える。本発明のコンピュータプログラムに係る実施形態によれば、コンピュータを本発明の情報再生装置に係る実施形態として機能させる。従って、波形歪みが生じている場合においても好適にデータを再生することができる。
【実施例】
【００６１】
以下、本発明の実施例を図面に基づいて説明する。【００６２】
（１）  基本構成
初めに、図１を参照して、本発明の情報再生装置に係る実施例について説明を進める。ここに、図１は、本実施例に係る情報再生装置の基本構成を概念的に示すブロック図である。【００６３】
図１に示すように、本実施例に係る情報再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、リミットイコライザ（Limit Equalizer）１５と、２値化回路１６と、復号回路１７と、波形歪み補正回路１８と、加算器１９−１と、オフセット生成回路１９−２とを備えている。【００６４】
ピックアップ１１は、スピンドルモータ１０によって回転する光ディスク１００の記録面にレーザ光ＬＢを照射した際の反射光を光電変換して読取信号ＲＲＦを生成する。【００６５】
ＨＰＦ１２は、ピックアップより出力される読取信号ＲＲＦの低域成分を除去し、その結果得られる読取信号ＲＨＣをＡ／Ｄ変換器１３へ出力する。【００６６】
Ａ／Ｄ変換器１３は、不図示のＰＬＬ（Phased Lock Loop）等から出力されるサンプリングクロックに応じて読取信号をサンプリングし、その結果得られる読取サンプル値系列ＲＳをプリイコライザ１４へ出力する。【００６７】
プリイコライザ１４は、ピックアップ１１及び光ディスク１００から構成される情報読取系の伝送特性に基づく符号間干渉を除去し、その結果得られる読取サンプル値系列ＲＳＣを加算器１９−１へ出力する。【００６８】
加算器１９−１は、本発明における「オフセット付加手段」の一具体例を構成しており、プリイコライザ１４より出力される読取サンプル値系列ＲＳＣに対して、オフセット生成回路において生成されたオフセット値ＯＦＳを加算する。オフセット値ＯＦＳが付加された読取サンプル値系列ＲＳＣは、波形歪み補正回路１８へ出力される。【００６９】
オフセット生成回路１９−２は、本発明における「オフセット付加手段」の一具体例を構成しており、オフセット値ＯＦＳを生成する。尚、オフセット値ＯＦＳについては、後に詳述する（図１３以降参照）。【００７０】
波形歪み補正回路１８は、本発明における「補正手段」の一具体例を構成しており、読取サンプル値系列ＲＳＣに生じている波形歪み（つまり、読取信号ＲＲＦに生じている波形歪み）を補正する。その結果得られる、歪み補正読取サンプル値系列ＲＳＣＡＭは、リミットイコライザ１５へ出力される。【００７１】
尚、波形歪み補正回路１８の具体的な構成及び動作については後に詳述する（図６以降参照）。【００７２】
リミットイコライザ１５は、符号間干渉を増加させることなく歪み補正読取サンプル値系列ＲＳＣＡＭに対して高域強調処理を施し、その結果得られる高域強調読取サンプル値系列ＲＳＨを、２値化回路１６へ出力する。【００７３】
２値化回路１６は、高域強調読取サンプル値系列ＲＳＨに対して２値化処理を行い、その結果得られる２値化信号を復号回路１７へ出力する。【００７４】
復号回路１７は、２値化信号に対して復号処理等を行い、その結果得られる再生信号を、ディスプレイやスピーカ等の外部再生機器へ出力する。その結果、光ディスク１００に記録されたデータ（例えば、映像データや音声データ等）が再生される。【００７５】
続いて、図２を参照して、リミットイコライザ１５のより詳細な構成について説明する。
図２は、リミットイコライザ１５の構成を概念的に示すブロック図である。図２に示すように、リミットイコライザ１５は、振幅制限値設定ブロック１５１と、振幅制限ブロック１５２と、高域強調ブロック１５３とを備えている。【００７６】
振幅制限値設定ブロック１５１は、歪み補正読取サンプル値系列ＲＳＣＡＭに基づいて、振幅制限ブロック１５２において用いられる振幅制限値の上限及び下限を設定する。振幅制限ブロック１５２は、振幅制限値設定ブロック１５１において設定された振幅制限値の上限及び下限に基づいて、歪み補正読取サンプル値系列ＲＳＣＡＭの振幅制限処理を行う。振幅制限処理が行われたサンプル値系列ＲＳＬＩＭは、高域強調ブロック１５３へ出力される。高域強調ブロック１５３は、振幅制限処理が行われたサンプル値系列ＲＳＬＩＭに対して、高域を強調するためのフィルタリング処理を行う。その結果、高域強調読取サンプル値系列ＲＳＨが得られる。【００７７】
より具体的には、リファレンスサンプルタイミング検出回路１５１１により、歪み補正読取サンプル値系列ＲＳＣＡＭに基づいて、リファレンスサンプルタイミングが検出される。検出されたリファレンスサンプルタイミングは、１クロックの遅延を付与する遅延器１５１２及びＯＲ回路１５１３を介してサンプルホールド回路１５１４へ出力される。サンプルホールド回路１５１４においては、遅延器１５１２及びＯＲ回路１５１３を介して出力されるリファレンスサンプルタイミングに応じて、補間フィルタ１５２２より出力される読取サンプル値系列ＲＳＰがサンプルホールドされる。【００７８】
尚、補間フィルタ１５２２は、歪み補正読取サンプル値系列ＲＳＣＡＭに対して補間演算処理を施すことにより、光ディスク１００から読み取られた読取信号ＲＲＦを、Ａ／Ｄ変換器１４において用いられるサンプリングクロックによるクロックタイミングの中間タイミングでサンプリングした際に得られる補間サンプル値系列を生成する。生成された補間サンプル値系列は、歪み補正読取サンプル値系列ＲＳＣＡＭに含められて、読取サンプル値系列ＲＳＰとして、リミッタ１５２３及びサンプルホールド回路１５１４へ出力される。【００７９】
サンプルホールドされた読取サンプル値系列ＲＳＰは、減算器１５１５においてリファレンスレベルＲｆが減算される。但し、リファレンスレベルＲｆとしてゼロレベルを用いている場合は、Ｒｆ＝０となる。減算結果は、平均化回路１５１６へ出力される。平均化回路１５１６においては、サンプル値の絶対値の平均値が算出される。算出されたサンプル値の平均値は、振幅制限値の上限及び下限として設定される。具体的には、リファレンスレベルに平均値を加算した値が、振幅制限値の上限、減算した値が振幅制限値の下限として設定される。リファレンスレベルとしてゼロレベルを用いている場合は、算出されたサンプル値の平均値に正の符号を付した値を振幅制限値の上限として設定し、算出されたサンプル値の平均値に負の符号を付した値を振幅制限値の下限として設定する。以下の説明では、説明の簡略化のために、リファレンスレベルＲｆとしてゼロレベルを用いた構成を説明する。【００８０】
具体的に、図３を参照して、振幅制限値設定ブロック１５１において設定される振幅制限値の上限及び下限について説明する。ここに、図３は、振幅制限値の上限及び下限の設定動作を、歪み補正読取サンプル値系列ＲＳＣＡＭ上で概念的に示す波形図である。【００８１】
図３には、読取信号のうち、ランレングスが相対的に短いデータ（具体的には、光ディスク１００がＢｌｕ−ｒａｙ  Ｄｉｓｃである場合においては、ランレングスが２Ｔ、３Ｔ及び４Ｔのデータ）を読み取った際に得られる読取信号ＲＲＦとその歪み補正読取サンプル値系列ＲＳＣＡＭを示す。図３に示すように、ゼロクロス点の前（つまり、時間的に前）に位置する補間サンプル値（つまり、補間フィルタ１５２２において生成されたサンプル値）と、ゼロクロス点の後（つまり、時間的に後）に位置する補間サンプル値の絶対値の平均値Ｌが、振幅制限値の上限及び下限の絶対値として設定される。つまり、振幅制限値の上限はＬと設定され、振幅制限値の下限が−Ｌと設定される。【００８２】
再び図２において、リミッタ１５２３は、振幅制限値設定ブロック１５１において設定された上限及び下限に基づいて、サンプル値系列ＲＳＰに対して振幅制限を行う。具体的には、サンプル値系列ＲＳＰに含まれるサンプル値が、上限Ｌよりも小さく且つ下限−Ｌよりも大きい場合には、そのサンプル値をそのままサンプル値系列ＲＳＬＩＭとして出力する。一方、サンプル値系列ＲＳＰに含まれるサンプル値が、上限Ｌ以上である場合には、上限Ｌをサンプル値系列ＲＳＬＩＭとして出力する。他方、サンプル値系列ＲＳＰに含まれるサンプル値が、下限−Ｌ以下である場合には、下限−Ｌをサンプル値系列ＲＳＬＩＭとして出力する。【００８３】
高域強調ブロック１５３においては、サンプル値系列ＲＳＬＩＭ中における最もランレングスが短いデータ（例えば、光ディスク１００がＤＶＤであればランレングス３Ｔのデータであり、光ディスク１００がＢｌｕ−ｒａｙ  Ｄｉｓｃであればランレングス２Ｔのデータ）に対応するサンプル値系列ＲＳＬＩＭのみ、その信号レベルを増大させる。【００８４】
具体的には、高域強調ブロック１５３へ入力されるサンプル値系列ＲＳＬＩＭは、そのまま又は１クロックの遅延を付加する遅延器１５３２、１５３３及び１５３４を介して、乗算係数−ｋを有する係数乗算器１５３５及び１５３８、並びに乗算係数ｋを有する係数乗算器１５３６及び１５３７へ入力される。係数乗算器１５３５、１５３６、１５３７及び１５３８の出力は、加算器１５３９において加算される。その加算結果である高域読取サンプル値ＲＳＨＩＧは、加算器１５３１において、３クロックの遅延を付加する遅延器１５３０を介して加算器１５３１に入力される歪み補正読取サンプル値系列ＲＳＣＡＭと加算される。その結果、高域強調読取サンプル値系列ＲＳＨが得られる。【００８５】
ここで、図４を参照して、高域強調読取サンプル値系列ＲＳＨの取得動作についてより詳細に説明する。ここに、図４は、高域強調読取サンプル値系列ＲＳＨの取得動作を、歪み補正読取サンプル値系列ＲＳＣＡＭ上で概念的に示す波形図である。【００８６】
図４（ａ）に示すように、加算器１５３１から出力される高域読取サンプル値ＲＳＨＩＧは、サンプル値系列ＲＳＬＩＭ中における時点Ｄ（−１．５）、Ｄ（−０．５）、Ｄ（０．５）及びＤ（１．５）の夫々でのサンプル値に基づいて算出される。具体的には、サンプル値系列ＲＳＬＩＭ中における時点Ｄ（−１．５）、Ｄ（−０．５）、Ｄ（０．５）及びＤ（１．５）の夫々でのサンプル値を、Ｓｉｐ（−１）、Ｓｉｐ（０）、Ｓｉｐ（１）及びＳｉｐ（２）とすると、ＲＳＨＩＧ＝（−ｋ）×Ｓｉｐ（−１）＋ｋ×Ｓｉｐ（０）＋ｋ×Ｓｉｐ（１）＋（−ｋ）×Ｓｉｐ（２）となる。【００８７】
このとき、図４（ｂ）に示すように、ランレングス２Ｔのデータに対応する時点Ｄ（−１．５）及びＤ（−０．５）におけるサンプル値Ｓｉｐ（−１）及びＳｉｐ（０）は、互いに略同一となる。また、ランレングス２Ｔのデータに対応する時点Ｄ（０．５）及びＤ（１．５）におけるサンプル値Ｓｉｐ（１）及びＳｉｐ（２）は、互いに略同一となる。【００８８】
また、図４（ｃ）に示すように、ランレングス３Ｔ及び４Ｔの夫々のデータに対応する時点Ｄ（−１．５）及びＤ（−０．５）におけるサンプル値Ｓｉｐ（−１）及びＳｉｐ（０）は、振幅制限ブロック１５２による振幅制限により、共に振幅制限値の上限Ｌとなる。同様に、ランレングス３Ｔ及び４Ｔの夫々のデータに対応する時点Ｄ（０．５）及びＤ（１．５）におけるサンプル値Ｓｉｐ（１）及びＳｉｐ（２）は、振幅制限ブロック１５２による振幅制限により、共に振幅制限値の下限−Ｌとなる。つまり、リファレンスサンプル点前後のサンプル値のばらつきが強制的に抑制される。【００８９】
このため、高域強調を強くかけるために、係数乗算器１５３５、１５３６、１５３７及び１５３８の係数ｋの値を大きくしても、ゼロクロス点Ｄ（０）において得られる高域読取サンプル値ＲＳＨＩＧは一定値に維持される。従って、符号間干渉は生じない。このように、リミットイコライザ１５を備える情報再生装置１によれば、高域強調した際に、符号間干渉が生ずる原因となるところの読取信号中におけるゼロクロス点前後のサンプル値のばらつきが強制的に抑えられる。このため、高域強調ブロック１５３において十分な高域強調を行っても符号間干渉が生ずることはない。【００９０】
本実施例に係る情報再生装置１では特に、読取信号ＲＲＦ（より具体的には、読取サンプル値系列ＲＳＣ）に対してオフセット値ＯＦＳを付加した後に波形歪みを補正し、その後に、リミットイコライザ１５において、振幅制限及び高域強調が行われる。以下、オフセット値ＯＦＳ及び波形歪み補正の具体例について、詳細に説明を進める。【００９１】
（２）波形歪み
初めに、図５及び図６を参照して、波形歪みについて説明する。ここに、図５は、波形歪みの第１の例を概念的に示す波形図であり、図６は、波形歪みの第２の例を概念的に示す波形図である。【００９２】
図５（ａ）に示すように、波形歪みは、本来とるべき信号レベルと実際に読取信号ＲＲＦに現れた信号レベルとの差を示す。この波形歪みは、読取信号ＲＲＦの最大振幅Ａに対する歪み量Ｄ及びゼロレベルから波形歪みの頂点までの信号レベルである波形歪み量Ｄ’で定量的に定義される。図５（ａ）において、太い点線は、波形歪みが発生していないときに本来とるべき信号レベルを示している。波形歪みが発生していない場合には、当然に波形歪み量Ｄはゼロである。【００９３】
尚、図５（ａ）に示す波形歪みは、読取信号ＲＲＦの前端部及び後端部の信号レベルと比較して、中間部の信号レベルが変化してしまった波形歪みを示している。このような波形歪み以外にも、図５（ｂ）に示すように、読取信号ＲＲＦの後端部の信号レベルと比較して、前端部及び中間部の信号レベルが変化してしまった波形歪みや、図５（ｃ）に示すように、読取信号ＲＲＦの前端部の信号レベルと比較して、中間部及び後端部の信号レベルが変化してしまった波形歪みも存在しえる。いずれの波形歪みを対象としていても、後述する構成及び動作を採用することができることは言うまでもない。【００９４】
また、図５（ａ）から図５（ｃ）においては、マークを形成することによって、レーザ光ＬＢの反射率が減少する光ディスク１００に生ずる波形歪みについて説明した。つまり、ゼロレベル以下の信号レベルにおいて、信号レベルが意図せず増加するような波形歪みが発生する例について説明した。しかしながら、図６（ａ）に示すように、例えば色素膜を記録層として用いたＢｌｕ−ｒａｙ  Ｄｉｓｃ等の光ディスクのように、データを記録することによって、レーザ光ＬＢの反射率が増加する光ディスク（いわゆる、Ｌｏｗ  ｔｏ  Ｈｉｇｈディスク）１００に生ずる波形歪みも存在し得る。つまり、ゼロレベル以上の信号レベルにおいて、信号レベルが意図せず減少するような波形歪みも発生し得る。尚、ゼロレベル以上の信号レベルにおいて、信号レベルが意図せず減少するような波形歪みが発生する場合においても、ゼロレベル以上の信号レベルにおいて、図５（ｂ）において示した信号レベルが意図せず減少するような波形歪みが発生する場合と同様に、図６（ｂ）に示すように、読取信号ＲＲＦの後端部の信号レベルと比較して、前端部及び中間部の信号レベルが変化してしまった波形歪みが存在し得る。また、図５（ｃ）において示した信号レベルが意図せず減少するような波形歪みが発生する場合と同様に、図６（ｃ）に示すように、読取信号ＲＲＦの前端部の信号レベルと比較して、中間部及び後端部の信号レベルが変化してしまった波形歪みも存在し得る。【００９５】
また、本実施例においては、ランレングスが相対的に長いマーク（以降、適宜“長マーク”と称し、例えば、光ディスク１００がＤＶＤであればランレングス７Ｔから１１Ｔ又は１４Ｔのデータであり、光ディスク１００がＢｌｕ−ｒａｙ  Ｄｉｓｃであればランレングス６Ｔから９Ｔのデータ）に対応する読取信号に発生する波形歪みに着目することが好ましい。或いは、同期データ（つまり、ｓｙｎｃデータ）の重要性を考慮すれば、同期データに対応するマーク（例えば、光ディスク１００がＤＶＤであればランレングス１４Ｔのデータであり、光ディスク１００がＢｌｕ−ｒａｙ  Ｄｉｓｃであればランレングス９Ｔのデータ）に対応する読取信号に発生する波形歪みに着目することが好ましい。【００９６】
（３）動作例
続いて、図７から図９を参照して、加算器１９−１、オフセット付加回路１９−２及び波形歪み補正回路１８の具体的な動作例について説明する。ここに、図７は、加算器１９−１、オフセット付加回路１９−２及び波形歪み補正回路１８の動作の流れを概念的に示すフローチャートであり、図８は、波形歪み補正回路１８の構成を概念的に示すブロック図であり、図９は、波形歪み補正回路１８による波形歪みの補正動作を、サンプル値系列ＲＳＣ上で概念的に示す波形図である。【００９７】
図７に示すように、まず、光ディスク１００に記録されたデータの再生動作が行われる（ステップＳ１０１）。【００９８】
再生動作の際には、オフセット生成回路１９−２の動作により、読取信号ＲＲＦ（より具体的には、読取サンプル値系列ＲＳＣ）に対してオフセット値ＯＦＳを付加するか否かが判定される（ステップＳ１０２）。この判定は、例えば後述するα値に基づいて行われてもよい。例えば、α値が概ね０であれば、オフセット値ＯＦＳを付加しないと判定してもよいし、α値が概ね０でなければ、オフセット値ＯＦＳを付加すると判定してもよい。或いは、この判定は、後述するステップＳ１０４における判定と同様の判定基準に基づいて行われてもよい。例えば、シンボルエラーレートが所定閾値以上でない、且つエラー訂正が不可能でない、且つ同期データが読取不可能でない場合には、オフセット値を付加しないと判定してもよいし、シンボルエラーレートが所定閾値以上である、エラー訂正が不可能である、又は同期データが読取不可能である場合には、オフセット値を付加すると判定してもよい。【００９９】
ステップＳ１０２における判定の結果、オフセット値ＯＦＳを付加しないと判定された場合には（ステップＳ１０２：Ｎｏ）、ステップＳ１０４へ進む。【０１００】
他方、ステップＳ１０２における判定の結果、オフセット値ＯＦＳを付加すると判定された場合には（ステップＳ１０２：Ｙｅｓ）、オフセット生成回路１９−２の動作によりオフセット値ＯＦＳが生成され、加算器１９−１の動作により該生成されたオフセット値ＯＦＳが読取信号ＲＲＦ（より具体的には、読取サンプル値系列ＲＳＣ）に付加された後（ステップＳ１０３）、ステップＳ１０４へ進む。【０１０１】
その後、シンボルエラーレート（ＳＥＲ：Symbol Error Rate）が所定閾値以上であるか否か、例えばＥＣＣ（Error Correction Code）等を用いたエラー訂正が不可能であるか否か、又は同期データが読取不可能であるか否かが逐次判定される（ステップＳ１０４）。ここでは、好適な再生動作が行われているか否かに基づいて、所定閾値が設定されることが好ましい。具体的には、好適な再生動作が行われなくなるシンボルエラーレートの値（例えば、概ね０．００１以上）を所定閾値として設定することが好ましい。【０１０２】
ステップＳ１０４における判定の結果、シンボルエラーレートが所定閾値以上でない、且つエラー訂正が不可能でない、且つ同期データが読取不可能でないと判定された場合には（ステップＳ１０４：Ｎｏ）、ステップＳ１０９へ進む。【０１０３】
他方、ステップＳ１０４における判定の結果、シンボルエラーレートが所定閾値以上である、エラー訂正が不可能である、又は同期データが読取不可能であると判定された場合には（ステップＳ１０４：Ｙｅｓ）、続いて、長マークの波形歪みが測定される（ステップＳ１０５）。ここでは、例えば、読取信号ＲＲＦの最大振幅Ａに対する波形歪み量Ｄ（又はＤ’）の比率を示す波形歪み率（つまり、Ｄ／Ａ×１００）が測定される。【０１０４】
その後、波形歪みが所定値以上であるか否かが判定される（ステップＳ１０６）。例えば、波形歪み率が概ね３０％以上であるか否かが判定される。【０１０５】
ステップＳ１０６における判定の結果、波形歪みが所定値以上でない（例えば、波形歪み率が概ね３０％以下である）と判定された場合には（ステップＳ１０６：Ｎｏ）、ステップＳ１０９へ進む。【０１０６】
他方、ステップＳ１０６における判定の結果、波形歪みが所定値以上である（例えば、波形歪み率が概ね３０％以上である）と判定された場合には（ステップＳ１０６：Ｙｅｓ）、続いて、波形歪みの補正レベルや補正範囲等の波形歪み補正条件が設定される（ステップＳ１０７）。波形歪み補正条件については、後に詳述する（図９等参照）。【０１０７】
その後、ステップＳ１０７において設定された波形歪み補正条件に基づいて、長マークの波形歪みが補正される（ステップＳ１０８）。【０１０８】
その後、再生動作を終了するか否かが判定され（ステップＳ１０９）、再生動作を終了しない場合には（ステップＳ１０９：Ｎｏ）、ステップＳ１０１へ戻り、再度ステップＳ１０１以降の動作が繰り返される。【０１０９】
図７に示す動作のうち波形歪みの補正に関する動作は、主として、波形歪み補正回路１８により行われる。ここで、波形歪み補正回路の具体的な回路構成について説明する。【０１１０】
図８に示すように、波形歪み補正回路１８は、遅延調整回路１８１と、歪み補正値検出回路１８２と、マーク／スペース長検出回路１８３と、タイミング生成回路１８４と、セレクタ１８５とを備えている。【０１１１】
プリイコライザ１４から出力される読取サンプル値系列ＲＳＣは、遅延調整回路１８１、歪み補正値検出回路１８２及びマーク／スペース長検出回路１８３の夫々へ出力される。【０１１２】
歪み補正値検出回路１８２は、ゼロクロス点から、ｍｉｎＴに相当する時間が経過した時点におけるサンプル値Ｓ（ｋ）をホールドして、歪み補正値ａｍｄとしてセレクタ１８５へ出力する。【０１１３】
尚、ｍｉｎＴは、ランレングスが最も短い記録データに対応する読取信号ＲＲＦ（より具体的には、該読取信号ＲＲＦに対応する読取サンプル値系列ＲＳＣ）を示している。例えば、光ディスク１００がＤＶＤであれば、ｍｉｎＴは、ランレングスが３Ｔの記録データに対応する読取信号ＲＲＦを示している。例えば、光ディスク１００がＢｌｕ−ｒａｙ  Ｄｉｓｃであれば、ｍｉｎＴは、ランレングスが２Ｔの記録データに対応する読取信号ＲＲＦを示している。【０１１４】
また、遅延調整回路１８１は、記録データの最長ランレングスに応じた遅延量を設定し、所望のタイミングで読取サンプル値系列ＲＳＣをセレクタ１８５へ出力する。具体的には、光ディスク１００がＢｌｕ−ｒａｙ  Ｄｉｓｃである場合には、最長ランレングスである９Ｔに相当する遅延量を設定し、光ディスク１００がＤＶＤである場合には、最長ランレングスである１４Ｔに相当する遅延量を設定する。【０１１５】
マーク／スペース長検出回路１８３は、例えばゼロクロス点の間隔や、符号ビットの連続回数等を検出することで、マーク／スペース長を検出する。その検出結果は、タイミング生成回路１８４へ出力される。【０１１６】
タイミング生成回路１８４は、マーク／スペース長検出回路１８３において検出されるマーク／スペース長に基づいて、タイミング信号ＳＷを生成し、該生成したタイミング信号ＳＷをセレクタ１８５へ出力する。【０１１７】
具体的には、タイミング生成回路１８４は、(i)マーク／スペース長検出回路１８３において検出されるマーク／スペース長が、波形歪み補正の対象となる長マークであり、且つ(ii)第１のゼロクロス点からｍｉｎＴに相当する時間が少なくとも経過した時点Ｔ１から、第１のゼロクロス点の次に位置する第２のゼロクロス点からｍｉｎＴに相当する時間を遡った時点Ｔ２までの間の期間には、ハイレベルのタイミング信号ＳＷ（ＳＷ＝１）を生成し、該生成したタイミング信号ＳＷをセレクタ１８５へ出力する。他方、タイミング生成回路１８４は、(i)マーク／スペース長検出回路１８３において検出されるマーク／スペース長が、波形歪み補正の対象となる長マーク以外のマークであるか、又は(ii)第１のゼロクロス点からｍｉｎＴに相当する時間が少なくとも経過した時点Ｔ１から、第１のゼロクロス点の次に位置する第２のゼロクロス点からｍｉｎＴに相当する時間を遡った時点Ｔ２までの間の期間以外の期間には、ローレベルのタイミング信号ＳＷ（ＳＷ＝０）を生成し、該生成したタイミング信号ＳＷをセレクタ１８５へ出力する。【０１１８】
セレクタ１８５は、ハイレベルのタイミング信号ＳＷがタイミング生成回路１８４から出力されている場合には、歪み補正値検出回路１８２から出力される歪み補正値ａｍｄを、歪み補正読取サンプル値系列ＲＳＣＡＭとして、リミットイコライザ１５へ出力する。他方、セレクタ１８５は、ローレベルのタイミング信号ＳＷがタイミング生成回路１８４から出力されている場合には、遅延調整回路１８１から出力される読取サンプル値系列ＲＳＣを、歪み補正読取サンプル値系列ＲＳＣＡＭとして、リミットイコライザ１５へ出力する。【０１１９】
尚、図７のステップＳ１０５において設定される波形歪み補正条件は、実質的には、歪み補正値検出回路１８２において検出される歪み補正値ａｍｄ及びタイミング生成回路１８４において生成されるタイミング信号ＳＷに相当する。【０１２０】
このような波形歪み補正回路１８による動作を、サンプル値系列ＲＳＣを示す波形図上でより明確に説明する。【０１２１】
図９に示すように、第１のゼロクロス点からｍｉｎＴに相当する時間が少なくとも経過した時点Ｔ１から、第１のゼロクロス点の次に位置する第２のゼロクロス点からｍｉｎＴに相当する時間を遡った時点Ｔ２までの間の期間（つまり、タイミング信号ＳＷがハイレベルである期間）には、サンプル値系列ＲＳＣに含まれるサンプル値が、波形歪み補正値検出回路１８２において検出される歪み補正値ａｍｄに補正される。その結果、波形歪みが補正される。【０１２２】
この波形歪みを補正することで得られる効果について、図１０から図１２を参照しながら説明する。ここに、図１０は、波形歪みの補正前後における読取信号ＲＲＦの波形等を概念的に示す波形図であり、図１１は、波形歪みが補正されない場合及び波形歪みが補正される場合の夫々における高域強調読取サンプル値系列ＲＳＨの取得動作を、サンプル値系列ＲＳＣ上で概念的に示す波形図であり、図１２は、波形歪み率に対するシンボルエラーレートの変化を示すグラフである。【０１２３】
図１０の左側に示すように、読取信号ＲＲＦに波形歪みが生じている場合には、該波形歪みを通常のマーク（例えば、ランレングスが相対的に短いマーク）と誤認識してしまいかねない。従って、読取信号ＲＲＦを２値化した後の２値化波形には、波形歪みに起因した誤信号が含まれてしまう。この結果、元の記録データとの整合性がとれずに、２値化エラーが発生してしまう。【０１２４】
他方で、図１０の右側に示すように、読取信号ＲＲＦに生じた波形歪みを補正した場合には、読取信号ＲＲＦを２値化した後の２値化波形には、波形歪みに起因した誤信号が含まれることはなくなる。従って、元の記録データとの整合性を取ることができ、２値化エラーは発生しない。【０１２５】
より具体的に説明すると、波形歪みの大きさ等の条件によっては、図１１（ａ）に示すように、波形歪みがリミットイコライザ１５における振幅制限値の下限−Ｌを上回る信号レベルを有しかねない。この場合、高域強調ブロック１５３から出力される高域強調読取サンプル値系列ＲＳＨは、高域強調読取サンプル値系列ＲＳＨＩＧとＳ（０）との和であり、ＲＳＨＩＧは、（−ｋ）×Ｓｉｐ（−１）＋ｋ×Ｓｉｐ（０）＋ｋ×Ｓｉｐ（１）＋（−ｋ）×Ｓｉｐ（２）にて示されることは前述した。ここで、Ｓｉｐ（−１）とＳｉｐ（２）は、下限−Ｌに抑制されるため、ＲＳＨ＝Ｓ（０）＋ｋ×（−２×−Ｌ＋Ｓｉｐ（０）＋Ｓｉｐ（１））となる。これでは、下限−ＬとＳｉｐ（０）とＳｉｐ（１）の和をＫ倍した値だけ、高域強調読取サンプル値系列ＲＳＨの値が大きくなってしまう。これは、本来発生するべきでない波形歪みを強調してしまっているため好ましくない。更には、波形歪みが強調されることに起因して、例えばＰＲＭＬを採用する情報再生装置においては、例えば波形歪みが生じているランレングスが相対的に長いマークを他のマークと誤判別してしまう不都合につながりかねない。その結果、２値化エラーが発生してしまう。【０１２６】
また、図示はしないが、図６（ａ）から図６（ｃ）に示すマークを形成することによって、レーザ光ＬＢの反射率が減少する光ディスク１００についても同様に、Ｓｉｐ（−１）とＳｉｐ（２）は、上限Ｌに抑制されるため、ＲＳＨ＝Ｓ（０）＋ｋ×（−２×Ｌ＋Ｓｉｐ（０）＋Ｓｉｐ（１））となる。これでは、上限ＬとＳｉｐ（０）とＳｉｐ（１）の和をＫ倍した値だけ、高域強調読取サンプル値系列ＲＳＨの値が大きくなってしまう。これは、本来発生するべきでない波形歪みを強調してしまっているため好ましくない。【０１２７】
他方、図１１（ｂ）に示すように、波形歪みが補正される場合には、波形歪みの信号レベルを、リミットイコライザ１５における振幅制限値の下限−Ｌ以下の信号レベルに補正することができる。この場合、Ｓｉｐ（−１）とＳｉｐ（０）と、Ｓｉｐ（１）とＳｉｐ（２）は、下限−Ｌに抑制されるため、ＲＳＨ＝Ｓ（０）となる。このため、波形歪みを強調する不都合を防ぐことができ、その結果、２値化エラーが発生してしまうという不都合を防ぐことができる。【０１２８】
また、図示はしないが、図６（ａ）から図６（ｃ）に示すマークを形成することによって、レーザ光ＬＢの反射率が減少する光ディスク１００についても同様に、波形歪みが補正される場合には、Ｓｉｐ（−１）とＳｉｐ（０）と、Ｓｉｐ（１）とＳｉｐ（２）は、上限Ｌに抑制されるため、ＲＳＨ＝Ｓ（０）となる。このため、波形歪みを強調する不都合を防ぐことができ、その結果、２値化エラーが発生してしまうという不都合を防ぐことができる。【０１２９】
このように、波形歪みを補正することによる効果は、波形歪み率に対するシンボルエラーレートの変化からも分かる。図１２に示すように、波形歪みが補正されない場合におけるＳＥＲの値と比較して、波形歪みが補正される場合におけるＳＥＲの値は改善している。【０１３０】
以上説明したように、本実施例に係る情報再生装置１によれば、高域強調した際に、符号間干渉が生ずる原因となるところの読取信号中におけるリファレンスサンプル点前後のサンプル値のばらつきが強制的に抑えられる。このため、高域強調ブロック１５３において十分な高域強調を行っても符号間干渉が生ずることはない。【０１３１】
特に、本実施例に係る情報再生装置１によれば、波形歪みを補正した後に、リミットイコライザ１５における振幅制限及び高域強調を行っている。このため、リミットイコライザ１５において、本来発生するべきでない波形歪みを強調してしまう不都合を好適に防止することができる。更には、波形歪みが強調されることに起因して、例えばＰＲＭＬを採用する情報再生装置においては、例えばランレングスが相対的に長いマークを他のマークと誤判別してしまう不都合を好適に防止することができる。その結果、波形歪みに起因して２値化エラーが発生することは殆どなくなり、好適な再生動作を行うことができる。【０１３２】
加えて、波形歪みを補正する前に、読取信号ＲＲＦ（より具体的には、読取サンプル値系列ＲＳＣ）に対してオフセット値ＯＦＳが付加されるため、以下に示す効果をも更に享受することができる。以下、図１３から図１９を参照して、オフセット値ＯＦＳを付加することによって得られる効果について、オフセット値ＯＦＳの生成動作と共に説明する。【０１３３】
（３−１）アシンメトリ値に基づくオフセット値ＯＦＳの付加
初めに図１３から図１８を参照して、アシンメトリ値に基づくオフセット値ＯＦＳの付加について説明する。ここに、図１３は、アシンメトリ値を概念的に示す波形図であり、図１４は、読取信号ＲＲＦの振幅で正規化されたオフセット値ＯＦＳに対するシンボルエラーレートの変化を示すグラフであり、図１５は、アシンメトリ値に対する読取信号ＲＲＦの振幅で正規化されたオフセット値の変化を示すグラフであり、図１６は、各ランレングスの記録データの出現確率を示す表であり、図１７は、アシンメトリの変化に応じたｍｉｎＴに対応する読取信号ＲＲＦの波形を概念的に示す波形図であり、図１８は、波形歪みの補正前後における読取信号ＲＲＦの他の波形等を概念的に示す波形図である。【０１３４】
図１３に示すように、アシンメトリ値は、ランレングスが最も長い記録データに対応する読取信号ＲＲＦの振幅中心に対する、ランレングスが最も短い記録データに対応する読取信号の振幅中心のずれを示す。具体的には、ランレングスが最も長い記録データに対応する読取信号ＲＲＦの振幅中心をＩｍａｘＣｎｔとし、ＩｍａｘＣｎｔを基準とするランレングスが最も長い記録データに対応する読取信号ＲＲＦのトップ振幅の大きさをＩｍａｘＨとし、ＩｍａｘＣｎｔを基準とするランレングスが最も長い記録データに対応する読取信号ＲＲＦのボトム振幅の大きさをＩｍａｘＬとし、ＩｍａｘＣｎｔを基準とするランレングスが最も短い記録データに対応する読取信号ＲＲＦのトップ振幅の大きさをＩｍｉｎＨとし、ＩｍａｘＣｎｔを基準とするランレングスが最も短い記録データに対応する読取信号ＲＲＦのボトム振幅の大きさをＩｍｉｎＬとすると、アシンメトリ値Ａｓｙ＝（（ＩｍａｘＨ＋ＩｍａｘＬ）−（ＩｍｉｎＨ＋ＩｍｉｎＬ））／（２×（ＩｍａｘＨ−ＩｍａｘＬ））にて示される。尚、ＩｍａｘＣｎｔは、ランレングスが最も長い記録データに対応する読取信号ＲＲＦのトップ振幅値とボトム振幅値との平均値である。【０１３５】
図１４（ａ）に示すように、光ディスク１００の一具体例であるＢｌｕ−ｒａｙ  Ｄｉｓｃにおいてアシンメトリ値が６％の場合には、オフセット値ＯＦＳを付加しない場合のシンボルエラーレートと比較して、読取信号ＲＲＦの振幅で正規化されたオフセット値ＯＦＳが、０％から５％程度であれば、オフセット値ＯＦＳを付加した場合のシンボルエラーレートは改善している。特に、読取信号ＲＲＦの振幅で正規化されたオフセット値ＯＦＳが概ね２％程度であるときに、シンボルエラーレートが最も小さくなる。【０１３６】
尚、シンボルエラーレートが最も小さくなるとき、後述する全体β値は９．３％であり、部分β値は１０．０％であり、α値は−３．０％であることを付記しておく。【０１３７】
図１４（ｂ）に示すように、光ディスク１００の一具体例であるＢｌｕ−ｒａｙ  Ｄｉｓｃにおいてアシンメトリ値が８％の場合には、オフセット値ＯＦＳを付加しない場合のシンボルエラーレートと比較して、読取信号ＲＲＦの振幅で正規化されたオフセット値ＯＦＳが、０％から７％程度であれば、オフセット値ＯＦＳを付加した場合のシンボルエラーレートは改善している。特に、読取信号ＲＲＦの振幅で正規化されたオフセット値ＯＦＳが概ね３％程度であるときに、シンボルエラーレートが最も小さくなる。【０１３８】
尚、シンボルエラーレートが最も小さくなるとき、後述する全体β値は１２．３％であり、部分β値は１４．０％であり、α値は−４．４％であることを付記しておく。【０１３９】
図１４（ｃ）に示すように、光ディスク１００の一具体例であるＢｌｕ−ｒａｙ  Ｄｉｓｃにおいてアシンメトリ値が１１％の場合には、オフセット値ＯＦＳを付加しない場合のシンボルエラーレートと比較して、読取信号ＲＲＦの振幅で正規化されたオフセット値ＯＦＳが、０％から９％程度であれば、オフセット値ＯＦＳを付加した場合のシンボルエラーレートは改善している。特に、読取信号ＲＲＦの振幅で正規化されたオフセット値ＯＦＳが概ね４％程度であるときに、シンボルエラーレートが最も小さくなる。【０１４０】
尚、シンボルエラーレートが最も小さくなるとき、後述する全体β値は１５．０％であり、部分β値は１９．０％であり、α値は−５．４％であることを付記しておく。【０１４１】
このように、オフセット値ＯＦＳを付加しない場合のシンボルエラーレートと比較して、オフセット値ＯＦＳを付加した場合のシンボルエラーレートは改善していることが分かる。特に、アシンメトリと同一極性のオフセット値ＯＦＳを付加することで、シンボルエラーレートが改善していることが分かる。【０１４２】
図１４（ａ）から図１４（ｃ）において示したシンボルエラーレートが最も小さくなるときの、アシンメトリ値とオフセット値ＯＦＳとをプロットしたグラフが、図１５に示される。図１５に示すように、読取信号ＲＲＦの振幅で正規化されたオフセット値ＯＦＳは、ＯＦＳ＝０．３９４７×アシンメトリ−０．２８９５にて示される。【０１４３】
ここで、図１６（ａ）及び図１６（ｂ）に示される、各ランレングスの記録データの、ランレングスを考慮しない出現確率に着目してみる。【０１４４】
図１６（ａ）には、光ディスク１００の一具体例であるＢｌｕ−ｒａｙ  Ｄｉｓｃにランダムデータを記録した場合の、１ＥＣＣブロック中の各ランレングスの記録データの、ランレングスを考慮した出現確率を示している。図１６（ａ）に示すように、１ＥＣＣブロック中においては、ランレングスが２Ｔの記録データの出現確率は約３８％であり、ランレングスが３Ｔの記録データの出現確率は約２５％であり、ランレングスが４Ｔの記録データの出現確率は約１６％であり、ランレングスが５Ｔの記録データの出現確率は約１０％であり、ランレングスが６Ｔの記録データの出現確率は約６％であり、ランレングスが７Ｔの記録データの出現確率は約３％であり、ランレングスが８Ｔの記録データの出現確率は約１．６％であり、ランレングスが９Ｔの記録データの出現確率は約０．３５％である。【０１４５】
尚、ここで示す出現確率（図中のＴ出現確率）は、ランレングスを考慮しない出現確率である。つまり、ランレングスが２Ｔの記録データと、ランレングスが３Ｔの記録データと、ランレングスが４Ｔの記録データと、ランレングスが５Ｔの記録データと、ランレングスが６Ｔの記録データと、ランレングスが７Ｔの記録データと、ランレングスが８Ｔの記録データと、ランレングスが９Ｔの記録データとの夫々の、出現確率を算出する際の重み付けは同一である。つまり、あるランレングスの記録データが１つ出現すれば、その出現回数が１回とカウントされる場合の出現確率を示している。【０１４６】
係る出現確率と図１５に示すグラフ（或いは、数式）を考慮するに、図１５に示すオフセット値を求めるための数式におけるアシンメトリに掛け合わせる係数０．３９４７と、ランレングスが２Ｔの記録データの出現確率３８％（０．３８０９）とは、概ね同一の値であるとみなすことができる。このため、読取信号ＲＲＦの振幅で正規化されたオフセット値ＯＦＳは、ランレングスが最も短い記録データの、ランレングスを考慮しない出現確率に、アシンメトリ値を乗じた値で近似することができる。つまり、光ディスク１００の一具体例であるＢｌｕ−ｒａｙ  Ｄｉｓｃにおいては、読取信号ＲＲＦの振幅で正規化されたオフセット値ＯＦＳは、０．３８０９×アシンメトリ値で近似することができる。【０１４７】
また、図１６（ｂ）には、光ディスク１００の一具体例であるＤＶＤにランダムデータを記録した場合の、１ＥＣＣブロック中の各ランレングスの記録データの、ランレングスを考慮しない出現確率を示している。図１６（ｂ）に示すように、１ＥＣＣブロック中には、ランレングスが３Ｔの記録データの出現確率は約３２％であり、ランレングスが４Ｔの記録データの出現確率は約２４％であり、ランレングスが５Ｔの記録データの出現確率は約１７％であり、ランレングスが６Ｔの記録データの出現確率は約１１．５％であり、ランレングスが７Ｔの記録データの出現確率は約７％であり、ランレングスが８Ｔの記録データの出現確率は約４％であり、ランレングスが９Ｔの記録データの出現確率は約２％であり、ランレングスが１０Ｔの記録データの出現確率は約１．３％であり、ランレングスが１１Ｔの記録データの出現確率は約０．２４％であり、ランレングスが１４Ｔの記録データの出現確率は約０．３％である。この場合も、読取信号ＲＲＦの振幅で正規化されたオフセット値ＯＦＳは、ランレングスが最も短い記録データの、ランレングスを考慮しない出現確率に、アシンメトリ値を乗じた値で近似することができる。つまり、つまり、光ディスク１００の一具体例であるＤＶＤにおいては、読取信号ＲＲＦの振幅で正規化されたオフセット値ＯＦＳは、０．３１８４×アシンメトリ値で近似することができる。【０１４８】
もちろん、Ｂｌｕ−ｒａｙ  ＤｉｓｃやＤＶＤ以外の光ディスクにおいても同様に、読取信号ＲＲＦの振幅で正規化されたオフセット値ＯＦＳは、ランレングスが最も短い記録データの、ランレングスを考慮しない出現確率×アシンメトリ値で近似することができる。【０１４９】
以上説明したように、オフセット生成回路１９−２は、アシンメトリ値に基づいてオフセット値ＯＦＳを生成する。【０１５０】
このように、オフセット値ＯＦＳを付加することで、再生特性（例えば、シンボルエラーレート）が改善することは、以下のような理由から説明できる。【０１５１】
図１７の上側に示すように、マークを形成することによって、レーザ光ＬＢの反射率が減少する光ディスク１００を対象としている場合には、ｍｉｎＴスペースの信号レベルが、ｍｉｎＴマークの信号レベルよりも大きくなる。この場合、アシンメトリが大きくなるにつれて、ｍｉｎＴの信号波形が、全てのＴのセンターレベル（つまり、リファレンスレベルないしはゼロレベル）に対して、徐々に下側（つまり、負の側）へシフトする。アシンメトリがある程度大きくなると、ｍｉｎＴスペースの頂点の信号レベルが、全てのＴのセンターレベルを下回ってしまいかねない。この場合、ｍｉｎＴを波形歪みと誤認識してしまいかねない。その結果、図１８に示すように、ｍｉｎＴが波形歪みとして補正されることで、ｍｉｎＴに相当する信号が２値化信号中に現れず、シンボルエラーレートの悪化につながってしまう。【０１５２】
同様に、図１７の下側に示すように、マークを形成することによって、レーザ光ＬＢの反射率が増加する光ディスク１００を対象としている場合には、ｍｉｎＴスペースの信号レベルが、ｍｉｎＴマークの信号レベルよりも小さくなる。この場合、アシンメトリが大きくなるにつれて、ｍｉｎＴの信号波形が、全てのＴのセンターレベル（つまり、リファレンスレベルないしはゼロレベル）に対して、徐々に上側（つまり、正の側）へシフトする。アシンメトリがある程度大きくなると、ｍｉｎＴスペースの頂点の信号レベルが、全てのＴのセンターレベルを上回ってしまいかねない。この場合、ｍｉｎＴを波形歪みと誤認識してしまいかねない。その結果、ｍｉｎＴが波形歪みとして補正されることで、ｍｉｎＴに相当する信号が２値化信号中に現れず、シンボルエラーレートの悪化につながってしまう。【０１５３】
しかるに、本実施例によれば、オフセット値ＯＦＳを付加することで、ｍｉｎＴの信号波形をシフトさせることができる。その結果、上述したｍｉｎＴスペースの頂点の信号レベルが、全てのＴのセンターレベルを下回る又は上回る不都合を好適に防止することができる。その結果、シンボルエラーレートの悪化を好適に防止することができる。【０１５４】
（３−２）全体β値に基づくオフセット値ＯＦＳの付加
続いて、図１９及び図２０を参照して、全体β値に基づくオフセット値ＯＦＳの付加について説明する。ここに、図１９は、全体β値を概念的に示す波形図であり、図２０は、読取信号ＲＲＦの振幅で正規化された全体β値に対する読取信号ＲＲＦの振幅で正規化されたオフセット値の変化を示すグラフである。【０１５５】
図１９に示すように、全体β値は、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号ＲＲＦの振幅中心の平均位置を示す。具体的には、全ての種類のランレングスの記録データに対応する読取信号ＲＲＦの振幅中心（つまり、全Ｔセンターレベル）を基準とする（つまり、原点又は基点とする）上側（正側）の最大振幅（トップ振幅）の大きさをＡ１とし、全ての種類のランレングスの記録データに対応する読取信号ＲＲＦの振幅中心を基準とする下側（負側）の最大振幅（ボトム振幅）の大きさをＡ２とすると、全体β値＝（Ａ１＋Ａ２）／（Ａ１−Ａ２）にて示される。【０１５６】
図１４（ａ）から図１４（ｃ）において示したシンボルエラーレートが最も小さくなるときの、全体β値とオフセット値ＯＦＳとをプロットしたグラフが、図２０に示される。図２０に示すように、読取信号ＲＲＦの振幅で正規化されたオフセット値ＯＦＳは、ＯＦＳ＝０．３５０６×全体β値−１．２７６８にて示される。【０１５７】
係る出現確率と図１５に示すグラフ（或いは、数式）を考慮するに、読取信号ＲＲＦの振幅で正規化されたオフセット値ＯＦＳは、ランレングスが最も短い記録データの出現確率に全体β値を乗じた値で近似することができる。つまり、光ディスク１００の一具体例であるＢｌｕ−ｒａｙ  Ｄｉｓｃにおいては、読取信号ＲＲＦの振幅で正規化されたオフセット値ＯＦＳは、０．３８０９×全体β値で近似することができる。【０１５８】
同様に、光ディスク１００の一具体例であるＤＶＤにおいては、読取信号ＲＲＦの振幅で正規化されたオフセット値ＯＦＳは、０．３１８４×全体β値で近似することができる。【０１５９】
もちろん、Ｂｌｕ−ｒａｙ  ＤｉｓｃやＤＶＤ以外の光ディスクにおいても同様に、読取信号ＲＲＦの振幅で正規化されたオフセット値ＯＦＳは、ランレングスが最も短い記録データの、ランレングスを考慮しない出現確率×全体β値で近似することができる。【０１６０】
以上説明したように、オフセット生成回路１９−２は、全体β値に基づいてオフセット値ＯＦＳを生成する。このように全体β値に基づいてオフセット値ＯＦＳを生成しても、アシンメトリ値に基づいてオフセット値ＯＦＳを生成した場合と同様の効果を好適に享受することができる。【０１６１】
（３−３）部分β値に基づくオフセット値ＯＦＳの付加
続いて、図２１及び図２２を参照して、部分β値に基づくオフセット値ＯＦＳの付加について説明する。ここに、図２１は、部分β値を概念的に示す波形図であり、図２２は、読取信号ＲＲＦの振幅で正規化された部分β値に対する読取信号ＲＲＦの振幅で正規化されたオフセット値の変化を示すグラフである。【０１６２】
図２１に示すように、部分β値は、ランレングスが最も短い記録データに対応する読取信号ＲＦの振幅中心と、ランレングスが２番目に短い記録データに対応する読取信号ＲＦの振幅中心とのずれを示す。具体的には、ランレングスが最も短い記録データに対応する読取信号の振幅中心をＩｍｉｎＣｎｔとし、ＩｍｉｎＣｎｔを基準とするランレングスが２番目に短い記録データに対応する読取信号ＲＲＦのトップ振幅の大きさをＩｍｉｎ＋１Ｈとし、ＩｍｉｎＣｎｔを基準とするランレングスが２番目に短い記録データに対応する読取信号ＲＲＦのボトム振幅の大きさをＩｍｉｎ＋１Ｌとすると、部分β値＝（Ｉｍｉｎ＋１Ｈ＋Ｉｍｉｎ＋１Ｌ）／（Ｉｍｉｎ＋１Ｈ−Ｉｍｉｎ＋１Ｌ）にて示される。尚、ＩｍｉｎＣｎｔは、ランレングスが最も短い記録データに対応する読取信号ＲＲＦのトップ振幅値ＩｍｉｎＨとボトム振幅値ＩｍｉｎＬとの平均値である。【０１６３】
図１４（ａ）から図１４（ｃ）において示したシンボルエラーレートが最も小さくなるときの、部分β値とオフセット値ＯＦＳとをプロットしたグラフが、図２２に示される。図２２に示すように、読取信号ＲＲＦの振幅で正規化されたオフセット値ＯＦＳは、ＯＦＳ＝０．２２１３×部分β値−０．１７２１にて示される。【０１６４】
ここで、図１６（ａ）及び図１６（ｂ）に示される、各ランレングスの記録データの、ランレングスを考慮した出現確率に着目してみる。【０１６５】
図１６（ａ）には、光ディスク１００の一具体例であるＢｌｕ−ｒａｙ  Ｄｉｓｃにランダムデータを記録した場合の、１ＥＣＣブロック中の各ランレングスの記録データの、ランレングスを考慮した出現確率を示している。図１６（ａ）に示すように、１ＥＣＣブロック中においては、ランレングスが２Ｔの記録データの出現確率は約２２％であり、ランレングスが３Ｔの記録データの出現確率は約２２％であり、ランレングスが４Ｔの記録データの出現確率は約１９％であり、ランレングスが５Ｔの記録データの出現確率は約１４％であり、ランレングスが６Ｔの記録データの出現確率は約１０％であり、ランレングスが７Ｔの記録データの出現確率は約６％であり、ランレングスが８Ｔの記録データの出現確率は約４％であり、ランレングスが９Ｔの記録データの出現確率は約０．９％である。【０１６６】
尚、ここで示す出現確率（図中のサンプル出現確率）は、ランレングスを考慮した出現確率である。つまり、ランレングスが２Ｔの記録データと、ランレングスが３Ｔの記録データと、ランレングスが４Ｔの記録データと、ランレングスが５Ｔの記録データと、ランレングスが６Ｔの記録データと、ランレングスが７Ｔの記録データと、ランレングスが８Ｔの記録データと、ランレングスが９Ｔの記録データとの夫々の、出現確率を算出する際の重み付けは、ランレングスに比例する。つまり、ランレングスがｎＴの記録データが１つ出現すれば（つまり、サンプリングすることでｎ個のサンプル値を含む記録データが１つ出現すれば）、その出現回数がｎ回とカウントされる場合の出現確率を示している。【０１６７】
係る出現確率と図２２に示すグラフ（或いは、数式）を考慮するに、図２２に示すオフセット値を求めるための数式における部分β値に掛け合わせる係数０．２２１３と、ランレングスが２Ｔの記録データの出現確率２２％（０．２２５５）とは、概ね同一の値であるとみなすことができる。このため、読取信号ＲＲＦの振幅で正規化されたオフセット値ＯＦＳは、ランレングスが最も短い記録データの、ランレングスを考慮した出現確率に、部分β値を乗じた値で近似することができる。つまり、光ディスク１００の一具体例であるＢｌｕ−ｒａｙ  Ｄｉｓｃにおいては、読取信号ＲＲＦの振幅で正規化されたオフセット値ＯＦＳは、０．２２５５×部分β値で近似することができる。【０１６８】
また、図１６（ｂ）には、光ディスク１００の一具体例であるＤＶＤにランダムデータを記録した場合の、１ＥＣＣブロック中の各ランレングスの記録データの、ランレングスを考慮した出現確率を示している。図１６（ｂ）に示すように、１ＥＣＣブロック中には、ランレングスが３Ｔの記録データの出現確率は約２０％であり、ランレングスが４Ｔの記録データの出現確率は約２０％であり、ランレングスが５Ｔの記録データの出現確率は約１８％であり、ランレングスが６Ｔの記録データの出現確率は約１４％であり、ランレングスが７Ｔの記録データの出現確率は約１０％であり、ランレングスが８Ｔの記録データの出現確率は約７％であり、ランレングスが９Ｔの記録データの出現確率は約４．５％であり、ランレングスが１０Ｔの記録データの出現確率は約３％であり、ランレングスが１１Ｔの記録データの出現確率は約０．５％であり、ランレングスが１４Ｔの記録データの出現確率は約０．９％である。この場合も、読取信号ＲＲＦの振幅で正規化されたオフセット値ＯＦＳは、ランレングスが最も短い記録データの、ランレングスを考慮した出現確率に、部分β値を乗じた値で近似することができる。つまり、つまり、光ディスク１００の一具体例であるＤＶＤにおいては、読取信号ＲＲＦの振幅で正規化されたオフセット値ＯＦＳは、０．２０２６×部分β値で近似することができる。【０１６９】
もちろん、Ｂｌｕ−ｒａｙ  ＤｉｓｃやＤＶＤ以外の光ディスクにおいても同様に、読取信号ＲＲＦの振幅で正規化されたオフセット値ＯＦＳは、ランレングスが最も短い記録データの、ランレングスを考慮した出現確率×部分β値で近似することができる。【０１７０】
以上説明したように、オフセット生成回路１９−２は、部分β値に基づいてオフセット値ＯＦＳを生成する。このように部分β値に基づいてオフセット値ＯＦＳを生成しても、アシンメトリ値に基づいてオフセット値ＯＦＳを生成した場合と同様の効果を好適に享受することができる。【０１７１】
（３−４）α値に基づくオフセット値ＯＦＳの付加
続いて、図２３を参照して、α値に基づくオフセット値ＯＦＳの付加について説明する。ここに、図２３は、α値を概念的に示す波形図である。【０１７２】
図２３に示すように、α値は、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号ＲＲＦの振幅中心（つまり、リファレンスレベルであり、本実施例においてはゼロレベル）に対する、ランレングスが最も短い記録データに対応する読取信号ＲＲＦの振幅中心の乖離率を示す。具体的には、全ての種類のランレングスの記録データに対応する読取信号ＲＲＦの振幅中心（つまり、全Ｔセンターレベル）を基準とするランレングスが最も長い記録データに対応する読取信号ＲＲＦのトップ振幅の大きさをＩｍａｘＨとし、全ての種類のランレングスの記録データに対応する読取信号ＲＲＦの振幅中心（つまり、全Ｔセンターレベル）を基準とするランレングスが最も長い記録データに対応する読取信号ＲＲＦのボトム振幅の大きさをＩｍｉｎＬとし、全ての種類のランレングスの記録データに対応する夫々の読取信号ＲＲＦの振幅中心に対する、ランレングスが最も短い記録データに対応する読取信号ＲＲＦの振幅中心のずれ量をΔＲｅｆとすると、α値＝ΔＲｅｆ／（ＩｍａｘＨ−ＩｍａｘＬ）にて示される。【０１７３】
この場合、オフセット生成回路１９−２は、α値をオフセット値ＯＦＳとして加算器１９−１へ出力する。つまり、オフセット生成回路１９−２は、α値そのものを生成する。このように、α値に基づいてオフセット値ＯＦＳを生成しても、アシンメトリ値に基づいてオフセット値ＯＦＳを生成した場合と同様の効果を好適に享受することができる。【０１７４】
尚、図７に示した動作例では、波形歪み補正条件がただ１つ設定されている。しかしながら、複数の波形歪み補正条件を設定しておき、それらを順に適用しながら波形歪み補正を行うように構成してもよい。この場合の動作例について、図２４を参照して説明する。ここに、図２４は、加算器１９−１、オフセット付加回路１９−２及び波形歪み補正回路１８の他の動作の流れを概念的に示すフローチャートである。【０１７５】
図２４に示すように、まず、光ディスク１００に記録されたデータの再生動作が行われる（ステップＳ１０１）。再生動作の際には、オフセット生成回路１９−２の動作により、読取信号ＲＲＦ（より具体的には、読取サンプル値系列ＲＳＣ）に対してオフセット値ＯＦＳを付加するか否かが判定される（ステップＳ１０２）。【０１７６】
ステップＳ１０２における判定の結果、オフセット値ＯＦＳを付加しないと判定された場合には（ステップＳ１０２：Ｎｏ）、ステップＳ１０４へ進む。【０１７７】
他方、ステップＳ１０２における判定の結果、オフセット値ＯＦＳを付加すると判定された場合には（ステップＳ１０２：Ｙｅｓ）、オフセット生成回路１９−２の動作によりオフセット値ＯＦＳが生成され、加算器１９−１の動作により該生成されたオフセット値ＯＦＳが読取信号ＲＲＦ（より具体的には、読取サンプル値系列ＲＳＣ）に付加された後（ステップＳ１０３）、ステップＳ１０４へ進む。【０１７８】
その後、シンボルエラーレートが所定閾値以上であるか否か、エラー訂正が不可能であるか否か、又は同期データが読取不可能であるか否かが逐次判定される（ステップＳ１０４）。【０１７９】
ステップＳ１０４における判定の結果、シンボルエラーレートが所定閾値以上でない、且つエラー訂正が不可能でない、且つ同期データが読取不可能でないと判定された場合には（ステップＳ１０４：Ｎｏ）、ステップＳ１０９へ進む。【０１８０】
他方、ステップＳ１０４における判定の結果、シンボルエラーレートが所定閾値以上である、エラー訂正が不可能である、又は同期データが読取不可能であると判定された場合には（ステップＳ１０４：Ｙｅｓ）、続いて、長マークの波形歪みが測定される（ステップＳ１０５）。その後、波形歪みが所定値以上であるか否かが判定される（ステップＳ１０６）。【０１８１】
ステップＳ１０６における判定の結果、波形歪みが所定値以上でない（例えば、波形歪み率が概ね３０％以下である）と判定された場合には（ステップＳ１０６：Ｎｏ）、ステップＳ１０９へ進む。【０１８２】
他方、ステップＳ１０６における判定の結果、波形歪みが所定値以上である（例えば、波形歪み率が概ね３０％以上である）と判定された場合には（ステップＳ１０６：Ｙｅｓ）、続いて、波形歪みの補正レベルや補正範囲等の波形歪み補正条件＃ｘ（但し、ｘは、１を初期値とする、１以上の整数）が設定される（ステップＳ２０１）。その後、ステップＳ２０１において設定された波形歪み補正条件＃ｘに基づいて、長マークの波形歪みが補正される（ステップＳ１０８）。【０１８３】
続いて、波形歪み補正条件＃ｘに基づく波形歪みの補正の結果、目標条件が実現されたか否かが判定される（ステップＳ２０２）。目標条件としては、例えばステップＳ１０２における判定条件（つまり、シンボルエラーレートが所定閾値以上である、又はエラー訂正が不可能である）を用いてもよい。【０１８４】
ステップＳ２０２における判定の結果、目標条件が実現されたと判定された場合には（ステップＳ２０２：Ｙｅｓ）、ステップＳ１０９へ進む。【０１８５】
他方、ステップＳ２０２における判定の結果、目標条件が実現されていないと判定された場合には（ステップＳ２０２：Ｎｏ）、ｘが１だけインクリメントされた後（ステップＳ２０３）、再度ステップＳ２０１以降の動作が繰り返される。つまり、目標条件を実現するまで、波形歪み補正条件を適宜変更しながら波形歪みの補正が行われる。【０１８６】
尚、複数の波形歪み補正条件としては、図２６から図３９を参照して以下に詳述する変形例における動作で用いられる波形歪み補正条件を用いることが好ましい。【０１８７】
また、上述の実施例では、オフセット値ＯＦＳの付加は、再生の都度１回ずつ行う構成を採用している。しかしながら、再生の都度複数回ずつ段階的にオフセット値を付加するように構成してもよい。この場合の動作例について、図２５を参照して説明する。ここに、図２５は、加算器１９−１、オフセット付加回路１９−２及び波形歪み補正回路１８の他の動作の流れを概念的に示すフローチャートである。【０１８８】
図２５に示すように、まず、光ディスク１００に記録されたデータの再生動作が行われる（ステップＳ１０１）。ここで、オフセット値ＯＦＳの付加の際に用いられる変数ｎが初期値０に設定される（ステップＳ４０１）。再生動作の際には、オフセット生成回路１９−２の動作により、読取信号ＲＲＦ（より具体的には、読取サンプル値系列ＲＳＣ）に対してオフセット値ＯＦＳを付加するか否かが判定される（ステップＳ１０２）。【０１８９】
ステップＳ１０２における判定の結果、オフセット値ＯＦＳを付加しないと判定された場合には（ステップＳ１０２：Ｎｏ）、ステップＳ１０４へ進む。【０１９０】
他方、ステップＳ１０２における判定の結果、オフセット値ＯＦＳを付加すると判定された場合には（ステップＳ１０２：Ｙｅｓ）、変数ｎを１だけインクリメントした後（ステップＳ４０２）、オフセット生成回路１９−２の動作により、読取信号ＲＲＦの振幅で正規化されたオフセット値ＯＦＳの値がｎ％となるようにオフセット値ＯＦＳが生成され、加算器１９−１の動作により該生成されたオフセット値ＯＦＳが読取信号ＲＲＦ（より具体的には、読取サンプル値系列ＲＳＣ）に付加された後（ステップＳ４０３）、ステップＳ１０４へ進む。【０１９１】
その後、シンボルエラーレートが所定閾値以上であるか否か、エラー訂正が不可能であるか否か、又は同期データが読取不可能であるか否かが逐次判定される（ステップＳ１０４）。【０１９２】
ステップＳ１０４における判定の結果、シンボルエラーレートが所定閾値以上でない、且つエラー訂正が不可能でない、且つ同期データが読取不可能でないと判定された場合には（ステップＳ１０４：Ｎｏ）、ステップＳ１０９へ進む。【０１９３】
他方、ステップＳ１０４における判定の結果、シンボルエラーレートが所定閾値以上である、エラー訂正が不可能である、又は同期データが読取不可能であると判定された場合には（ステップＳ１０４：Ｙｅｓ）、続いて、長マークの波形歪みが測定される（ステップＳ１０５）。その後、波形歪みが所定値以上であるか否かが判定される（ステップＳ１０６）。【０１９４】
ステップＳ１０６における判定の結果、波形歪みが所定値以上でない（例えば、波形歪み率が概ね３０％以下である）と判定された場合には（ステップＳ１０６：Ｎｏ）、続いて、オフセット値ＯＦＳを付加した回数であるリトライ回数が所定値以上であるか否かが判定される（ステップＳ４０４）。【０１９５】
ステップＳ４０４における判定の結果、リトライ回数が所定以上でないと判定された場合には（ステップＳ４０４：Ｎｏ）、ステップＳ１０２へ戻り、ステップＳ１０２以降の動作を繰り返す。【０１９６】
他方、ステップＳ４０４における判定の結果、リトライ回数が所定以上であると判定された場合には（ステップＳ４０４：Ｙｅｓ）、ステップＳ１０９へ進む。【０１９７】
他方、ステップＳ１０６における判定の結果、波形歪みが所定値以上である（例えば、波形歪み率が概ね３０％以上である）と判定された場合には（ステップＳ１０６：Ｙｅｓ）、続いて、波形歪みの補正レベルや補正範囲等の波形歪み補正条件が設定される（ステップＳ１０７）。その後、ステップＳ１０７において設定された波形歪み補正条件に基づいて、長マークの波形歪みが補正される（ステップＳ１０８）。【０１９８】
その後、再生動作を終了するか否かが判定され（ステップＳ１０９）、再生動作を終了しない場合には（ステップＳ１０９：Ｎｏ）、ステップＳ１０１へ戻り、再度ステップＳ１０１以降の動作が繰り返される。【０１９９】
（４）変形例
続いて、図２６から図３９を参照して、本実施例に係る情報再生装置１の変形例について説明を進める。【０２００】
（４−１）第１変形例
初めに、図２６及び図２７を参照して、第１変形例に係る情報再生装置１ａについて説明する。ここに、図２６は、第１変形例に係る情報再生装置１ａが備える波形歪み補正回路１８ａによる波形歪みの補正動作を、サンプル値系列ＲＳＣ上で概念的に示す波形図であり、図２７は、第１変形例に係る情報再生装置１ａが備える波形歪み補正回路１８ａの構成を概念的に示すブロック図である。【０２０１】
尚、上述した実施例における各種構成及び動作と同一の構成及び動作に関しては、同一の参照符号を付することで、それらの詳細な説明については省略する。【０２０２】
図２６に示すように、第１変形例においては、歪み補正値ａｍｄとして、ランレングスが（ｍｉｎ＋３）Ｔのマークのセンターサンプル（つまり、図５（ａ）から図５（ｃ）に示す波形歪みに対しては、（ｍｉｎ＋３）Ｔのマークの最小振幅値であり、図６（ａ）から図６（ｃ）に示す波形歪みに対しては、（ｍｉｎ＋３）Ｔのマークの最大振幅値）の平均値が用いられる。【０２０３】
尚、（ｍｉｎ＋ｋ）Ｔは、ランレングスがｋ＋１（但し、ｋは１以上の整数）番目に短い記録データに対応する読取信号ＲＲＦ（より具体的には、該読取信号ＲＲＦに対応する読取サンプル値系列ＲＳＣ）を示している。従って、（ｍｉｎ＋３）Ｔは、ランレングスが４番目に短い記録データに対応する読取信号ＲＲＦ（より具体的には、該読取信号ＲＲＦに対応する読取サンプル値系列ＲＳＣ）を示している。例えば、光ディスク１００がＤＶＤであれば、（ｍｉｎ＋３）Ｔは、ランレングスが６Ｔの記録データに対応する読取信号ＲＲＦを示している。例えば、光ディスク１００がＢｌｕ−ｒａｙ  Ｄｉｓｃであれば、（ｍｉｎ＋３）Ｔは、ランレングスが５Ｔの記録データに対応する読取信号ＲＲＦを示している。【０２０４】
この場合、波形歪み補正回路１８ａは、図２７に示すように、遅延調整回路１８１と、歪み補正値検出回路１８２ａと、マーク／スペース長検出回路１８３と、タイミング生成回路１８４と、セレクタ１８５とを備えている。【０２０５】
歪み補正値検出回路１８２ａは、マーク／スペース長検出回路１８３より出力されるマーク／スペース長をモニタリングしながら、ランレングスが（ｍｉｎ＋３）Ｔである記録データが入力された場合に、そのセンターサンプル値をホールドして平均化し、歪み補正値ａｍｄとしてセレクタ１８５へ出力する。【０２０６】
このように、歪み補正値ａｍｄとして、ランレングスが（ｍｉｎ＋３）Ｔである記録データのセンターサンプルの平均値を用いても、上述した各種効果を好適に享受することができる。【０２０７】
更に、場合によっては、波形歪みが補正されることで、補正後の信号レベルが、元の信号レベル（つまり、補正前の信号レベル）よりも増加する。このため、波形歪みが補正されることで、信号レベルを、読取信号ＲＲＦの最大振幅に近づけることができる。その結果、特にＰＲＭＬ（Partial Response Maximum Likelihood）を採用する情報再生装置において、記録データをより好適に再生することができる。【０２０８】
尚、歪み補正値ａｍｄとして、ランレングスが（ｍｉｎ＋３）Ｔである記録データのセンターサンプルの平均値に代えて、他のランレングスを有する記録データのセンターサンプルの平均値を用いてもよい。この場合、他のランレングスを有する記録データとして、最大振幅を実現できる記録データであることが好ましい。【０２０９】
（４−２）第２変形例
続いて、図２８及び図２９を参照しながら、第２変形例に係る情報再生装置１ｂについて説明する。ここに、図２８は、第２変形例に係る情報再生装置１ｂが備える波形歪み補正回路１８ｂによる波形歪みの補正動作を、サンプル値系列ＲＳＣ上で概念的に示す波形図であり、図２９は、第２変形例に係る情報再生装置１ｂが備える波形歪み補正回路１８ｂの構成を概念的に示すブロック図である。【０２１０】
尚、上述した実施例における各種構成及び動作と同一の構成及び動作に関しては、同一の参照符号を付することで、それらの詳細な説明については省略する。【０２１１】
図２８に示すように、第２変形例においては、歪み補正値ａｍｄとして、読取サンプル値系列ＲＳＨを示すためのデジタルコードの最大値又は最小値（具体的には、図５（ａ）から図５（ｃ）に示す波形歪みに対しては、デジタルコードの最小値であり、図６（ａ）から図６（ｃ）に示す波形歪みに対しては、デジタルコードの最大値）が用いられる。例えば、デジタルコードが８ビットであれば、デジタルコードの最大値は、２＾（８−１）−１＝１２７となり、デジタルコードの最小値は、−２＾（８−１）＝−１２８となる。【０２１２】
この場合、波形歪み補正回路１８ｂは、図２９に示すように、遅延調整回路１８１と、歪み補正値検出回路１８２ｂと、マーク／スペース長検出回路１８３と、タイミング生成回路１８４と、セレクタ１８５とを備えている。【０２１３】
歪み補正値検出回路１８２ａは、デジタルコードの最大値又は最小値を、歪み補正値ａｍｄとしてセレクタ１８５へ出力する。【０２１４】
このように、歪み補正値ａｍｄとして、デジタルコードの最大値又は最小値を用いても、上述した各種効果を好適に享受することができる。【０２１５】
加えて、歪み補正値ａｍｄを逐次検出する必要がなくなるため、波形歪み補正回路１８ｂの負荷（つまり、情報再生装置１ｂの負荷）を相対的に低減させることができる。【０２１６】
尚、デジタルコードの最大値又は最小値に限らず、所定の固定値を歪み補正値ａｍｄとして用いたとしても、波形歪み補正回路１８ｂの負荷（つまり、情報再生装置１ｂの負荷）を相対的に低減させつつ、上述した各種効果を好適に享受することができる。【０２１７】
（４−３）第３変形例
続いて、図３０及び図３１を参照して、第３変形例に係る情報再生装置１ｃについて説明する。ここに、図３０は、第３変形例に係る情報再生装置１ｃが備える波形歪み補正回路１８ｃによる波形歪みの補正動作を、サンプル値系列ＲＳＣ上で概念的に示す波形図であり、図３１は、第３変形例に係る情報再生装置１ｃが備える波形歪み補正回路１８ｃの構成を概念的に示すブロック図である。【０２１８】
尚、上述した実施例における各種構成及び動作と同一の構成及び動作に関しては、同一の参照符号を付することで、それらの詳細な説明については省略する。【０２１９】
図３０に示すように、第３変形例においては、歪み補正値ａｍｄとして、リミットイコライザ１５における振幅制限値の上限Ｌ又は下限−Ｌ（具体的には、図５（ａ）から図５（ｃ）に示す波形歪みに対しては、振幅制限値の下限−Ｌであり、図６（ａ）から図６（ｃ）に示す波形歪みに対しては、振幅制限値の上限Ｌ）が用いられる。【０２２０】
この場合、波形歪み補正回路１８ｃは、図３１に示すように、遅延調整回路１８１と、マーク／スペース長検出回路１８３と、タイミング生成回路１８４と、セレクタ１８５とを備えている。【０２２１】
セレクタ１８５は、ハイレベルのタイミング信号ＳＷがタイミング生成回路１８４から出力されている場合には、リミットイコライザ１５の振幅制限値の上限Ｌ又は下限−Ｌを、歪み補正サンプル値系列ＲＳＣＡＭとして出力する。【０２２２】
このように、歪み補正値ａｍｄとして、リミットイコライザ１５における振幅制限値の上限Ｌ又は下限−Ｌを用いても、上述した各種効果を好適に享受することができる。【０２２３】
加えて、波形歪みの信号レベルがリミットイコライザ１５の振幅制限値の上限Ｌ又は下限−Ｌに補正されるため、リミットイコライザ１５において、本来発生するべきでない波形歪みを強調してしまう不都合を確実に防止することができる。更には、波形歪みが強調されることに起因して、例えばＰＲＭＬを採用する情報再生装置においては、例えばランレングスが相対的に長いマークを他のマークと誤判別してしまう不都合を好適に防止することができる。その結果、波形歪みに起因して２値化エラーが発生することは殆どなくなり、好適な再生動作を行うことができる。【０２２４】
尚、歪み補正値ａｍｄとして、リミットイコライザ１５における振幅制限値の上限Ｌ以上の値又は下限−Ｌ以下の値を用いるように構成してもよい。このように構成しても、上述した各種効果を好適に享受することができる。【０２２５】
（４−４）第４変形例
続いて、図３２及び図３３を参照して、第４変形例に係る情報再生装置１ｄについて説明する。ここに、図３２は、第４変形例に係る情報再生装置１ｄが備える波形歪み補正回路１８ｄによる波形歪みの補正動作を、サンプル値系列ＲＳＣ上で概念的に示す波形図であり、図３３は、第４変形例に係る情報再生装置１ｄが備える波形歪み補正回路１８ｄの構成を概念的に示すブロック図である。【０２２６】
尚、上述した実施例における各種構成及び動作と同一の構成及び動作に関しては、同一の参照符号を付することで、それらの詳細な説明については省略する。【０２２７】
図３２に示すように、第４変形例においては、歪み補正値ａｍｄとして、リミットイコライザ１５における振幅制限値の上限Ｌ又は下限−Ｌ（具体的には、図５（ａ）から図５（ｃ）に示す波形歪みに対しては、振幅制限値の下限−Ｌであり、図６（ａ）から図６（ｃ）に示す波形歪みに対しては、振幅制限値の上限Ｌ）の２倍の値（つまり、２Ｌ又は−２Ｌ）が用いられる。【０２２８】
この場合、波形歪み補正回路１８ｄは、図３３に示すように、遅延調整回路１８１と、増幅器１８２ｄと、マーク／スペース長検出回路１８３と、タイミング生成回路１８４と、セレクタ１８５とを備えている。【０２２９】
増幅器１８２ｄは、リミットイコライザ１５の振幅制限値の上限Ｌ又は下限−Ｌを２倍に増幅した後に、歪み補正値ａｍｄとしてセレクタ１８５へ出力する。【０２３０】
このように、歪み補正値ａｍｄとして、リミットイコライザ１５における振幅制限値の上限Ｌ又は下限−Ｌの２倍の値を用いても、上述した各種効果を好適に享受することができる。【０２３１】
加えて、波形歪みの信号レベルがリミットイコライザ１５の振幅制限値の上限Ｌ又は下限−Ｌに補正されるため、リミットイコライザ１５において、本来発生するべきでない波形歪みを強調してしまう不都合を確実に防止することができる。更には、波形歪みが強調されることに起因して、例えばＰＲＭＬを採用する情報再生装置においては、例えばランレングスが相対的に長いマークを他のマークと誤判別してしまう不都合を好適に防止することができる。その結果、波形歪みに起因して２値化エラーが発生することは殆どなくなり、好適な再生動作を行うことができる。【０２３２】
更には、読取信号ＲＲＦにノイズ成分が重畳してしまった場合であっても、波形歪みの信号レベルを振幅制限値の上限Ｌ又は下限−Ｌの２倍以下の信号レベルに補正するため、波形歪みが振幅制限値の上限Ｌ以下又は下限−Ｌ以上の値となる不都合を確実に防止することができる。この結果、例えば、長マークを他のマークと誤判別してしまう不都合を好適に防止することができる。その結果、波形歪みに起因して２値化エラーが発生することは殆どなくなり、好適な再生動作を行うことができる。【０２３３】
（４−５）第５変形例
続いて、図３４から図３７を参照して、第５変形例に係る情報再生装置１ｅについて説明する。ここに、図３４は、第５変形例に係る情報再生装置１ｅが備える波形歪み補正回路１８ｅによる波形歪みの補正動作を、第１の読取信号ＲＲＦ上で概念的に示すタイミングチャートであり、図３５は、第５変形例に係る情報再生装置１ｅが備える波形歪み補正回路１８ｅによる波形歪みの補正動作を、第２の読取信号ＲＲＦ上で概念的に示すタイミングチャートであり、図３６は、第５変形例に係る情報再生装置１ｅが備える波形歪み補正回路１８ｅによる第１の動作の流れを概念的に示すフローチャートであり、図３７は、第５変形例に係る情報再生装置１ｅが備える波形歪み補正回路１８ｅによる第２の動作の流れを概念的に示すフローチャートである。【０２３４】
光ディスク１００に記録される記録データには、通常のユーザデータに加えて、該ユーザデータを再生する際の同期をとるために用いられる同期データ（例えば、光ディスク１００がＤＶＤであればランレングス１４Ｔの記録データであり、光ディスク１００がＢｌｕ−ｒａｙ  Ｄｉｓｃであればランレングス９Ｔの記録データ）が含まれている。このような同期データが記録データに含まれていることを考慮して、同期データに限定して波形歪みを補正するように構成してもよい。【０２３５】
より具体的には、図３４に示すように、光ディスクがＢｌｕ−ｒａｙ  Ｄｉｓｃである場合には、同期データは９Ｔマークと９Ｔスペースとにより構成されているため、まず、９Ｔスペースを検出し、該検出された９Ｔスペースの前又は後の波形歪みを補正するように構成してもよい。また、同期データが出現する周期性に着目して、検出された９Ｔスペースから、１９３２Ｔ（或いは、１９３２Ｔ±α１：α１は所定の定数）に相当する時間が経過した位置（或いは、該位置からβ１Ｔだけずれた位置：β１は所定の定数）付近の波形歪みを補正するように構成してもよい。【０２３６】
また、図３５に示すように、光ディスクがＤＶＤである場合には、同期データは１４Ｔマークまたは１４Ｔスペースであるため、まず、１４Ｔスペースを検出し、該検出された１４Ｔスペースから、１４８８Ｔ（或いは、１４８８Ｔ±α２：α２は定数）に相当する時間が経過した位置（或いは、該位置からβ２Ｔだけずれた位置：β２は所定の定数）付近の波形歪みを補正するように構成してもよい。【０２３７】
この場合の動作の流れについて説明すると、図３６に示すように、まず、光ディスク１００に記録されたデータの再生動作が行われる（ステップＳ１０１）。再生動作の際には、オフセット生成回路１９−２の動作により、読取信号ＲＲＦ（より具体的には、読取サンプル値系列ＲＳＣ）に対してオフセット値ＯＦＳを付加するか否かが判定される（ステップＳ１０２）。【０２３８】
ステップＳ１０２における判定の結果、オフセット値ＯＦＳを付加しないと判定された場合には（ステップＳ１０２：Ｎｏ）、ステップＳ３０１へ進む。【０２３９】
他方、ステップＳ１０２における判定の結果、オフセット値ＯＦＳを付加すると判定された場合には（ステップＳ１０２：Ｙｅｓ）、オフセット生成回路１９−２の動作によりオフセット値ＯＦＳが生成され、加算器１９−１の動作により該生成されたオフセット値ＯＦＳが読取信号ＲＲＦ（より具体的には、読取サンプル値系列ＲＳＣ）に付加された後（ステップＳ１０３）、ステップＳ３０１へ進む。【０２４０】
その後、シンクスペース（つまり、同期データを構成するスペースであって、上述した９Ｔスペースや１４Ｔスペース等）が検出されるか否かが判定される（ステップＳ３０１）。【０２４１】
ステップＳ３０１における判定の結果、シンクスペースが検出されないと判定された場合には（ステップＳ３０１：Ｎｏ）、再度ステップＳ３０１に戻り、シンクスペースが検出されるか否かの判定動作が繰り返される。【０２４２】
他方、ステップＳ３０１における判定の結果、シンクスペースが検出されたと判定された場合には（ステップＳ３０１：Ｙｅｓ）、続いて、シンクスペースからｎＴに相当する時間が経過した位置のマークを再生しているか否かが判定される（ステップＳ３０２）。つまり、同期データが出現する周期性に着目して、検出されたシンクスペースから、例えば上述した１９３２Ｔ±α１ないしは１４８８Ｔ±α２に相当する時間が経過した位置のマークを再生しているか否かが判定される。【０２４３】
ステップＳ３０２における判定の結果、シンクスペースからｎＴに相当する時間が経過した位置のマークを再生していないと判定された場合には（ステップＳ３０２：Ｎｏ）、ステップＳ３０２の動作を繰り返す。【０２４４】
他方、ステップＳ３０２における判定の結果、シンクスペースからｎＴに相当する時間が経過した位置のマークを再生していると判定された場合には（ステップＳ３０２：Ｙｅｓ）、続いて、シンクスペースからｎＴに相当する時間が経過した位置付近において、同期データに相当するマークの波形歪みが測定される（ステップＳ１０５）。以降は、図７に示した動作と同様の動作が行われる。【０２４５】
また、この場合も、図３７に示すように、図２４に示す動作例と同様に、複数の波形歪み補正条件を設定しておき、それらを順に適用しながら波形歪み補正を行うように構成してもよい。【０２４６】
具体的には、図３７に示すように、まず、光ディスク１００に記録されたデータの再生動作が行われる（ステップＳ１０１）。再生動作の際には、オフセット生成回路１９−２の動作により、読取信号ＲＲＦ（より具体的には、読取サンプル値系列ＲＳＣ）に対してオフセット値ＯＦＳを付加するか否かが判定される（ステップＳ１０２）。【０２４７】
ステップＳ１０２における判定の結果、オフセット値ＯＦＳを付加しないと判定された場合には（ステップＳ１０２：Ｎｏ）、ステップＳ３０１へ進む。【０２４８】
他方、ステップＳ１０２における判定の結果、オフセット値ＯＦＳを付加すると判定された場合には（ステップＳ１０２：Ｙｅｓ）、オフセット生成回路１９−２の動作によりオフセット値ＯＦＳが生成され、加算器１９−１の動作により該生成されたオフセット値ＯＦＳが読取信号ＲＲＦ（より具体的には、読取サンプル値系列ＲＳＣ）に付加された後（ステップＳ１０３）、ステップＳ３０１へ進む。【０２４９】
その後、シンクスペース（つまり、同期データを構成するスペースであって、上述した９Ｔスペースや１４Ｔスペース等）が検出されるか否かが判定される（ステップＳ３０１）。【０２５０】
ステップＳ３０１における判定の結果、シンクスペースが検出されないと判定された場合には（ステップＳ３０１：Ｎｏ）、再度ステップＳ３０１に戻り、シンクスペースが検出されるか否かの判定動作が繰り返される。【０２５１】
他方、ステップＳ３０１における判定の結果、シンクスペースが検出されたと判定された場合には（ステップＳ３０１：Ｙｅｓ）、続いて、シンクスペースからｎＴに相当する時間が経過した位置のマークを再生しているか否かが判定される（ステップＳ３０２）。つまり、同期データが出現する周期性に着目して、検出されたシンクスペースから、例えば上述した１９３２Ｔ±α１ないしは１４８８Ｔ±α２に相当する時間が経過した位置のマークを再生しているか否かが判定される。【０２５２】
ステップＳ３０２における判定の結果、シンクスペースからｎＴに相当する時間が経過した位置のマークを再生していないと判定された場合には（ステップＳ３０２：Ｎｏ）、ステップＳ３０２の動作が繰り返される。【０２５３】
他方、ステップＳ３０２における判定の結果、シンクスペースからｎＴに相当する時間が経過した位置のマークを再生していると判定された場合には（ステップＳ３０２：Ｙｅｓ）、続いて、シンクスペースからｎＴに相当する時間が経過した位置付近において、同期データに相当するマークの波形歪みが測定される（ステップＳ１０５）。以降は、図２４に示した動作と同様の動作が行われる。【０２５４】
このように、同期データが記録データに含まれていることを考慮しながら波形歪みを補正することで、ユーザデータよりもその重要性が高い同期データの高域強調を好適に行うことができ、その結果同期データの再生を好適に行うことができる。これにより、再生動作の安定性をより一層高めることができる。【０２５５】
（４−６）第６変形例
続いて、図３８及び図３９を参照して、第６変形例に係る情報再生装置１ｆについて説明する。ここに、図３８は、第６変形例に係る情報再生装置１ｆが備える波形歪み補正回路１８ｆの構成を概念的に示すブロック図であり、図３９は、第６変形例に係る情報再生装置１ｆが備える波形歪み補正回路１８ｆが備える波形歪み検出回路１８６ｆの構成を概念的に示すブロック図である。【０２５６】
図３８に示すように、波形歪み補正回路１８ｆは、遅延調整回路１８１と、波形歪み検出回路１８６ｆと、マーク／スペース長検出回路１８３と、タイミング生成回路１８４と、セレクタ１８５と、ＡＮＤ回路１８７ｆを備えている。【０２５７】
この態様では、マーク／スペース長検出回路１８３によるマーク／スペース長の検出結果は、タイミング生成回路１８４に加えて、波形歪み検出回路１８６ｆへ出力される。【０２５８】
波形歪み検出回路１８６ｆは、波形歪みを検出し、且つ波形歪みを検出したことを示す波形歪み検出信号ＤＴをＡＮＤ回路１８７ｆへ出力する。より具体的には、波形歪み検出回路１８６ｆは、波形歪みが検出されている場合には、ハイレベルの波形歪み検出信号ＤＴ（ＤＴ＝１）をＡＮＤ回路１８７ｆへ出力し、波形歪みが検出されていない場合には、ローレベルの波形歪み検出信号ＤＴ（ＤＴ＝０）をＡＮＤ回路１８７ｆへ出力する。【０２５９】
ＡＮＤ回路１８７ｆは、タイミング生成回路１８４及び波形歪み検出回路１８６ｆの夫々の出力に基づいて、波形歪みが検出された場合（つまり、タイミング生成回路１８４から出力されるタイミング信号ＳＷ及び波形歪み検出回路１８６ｆから出力される波形歪み検出信号ＤＴの夫々がハイレベルである場合）には、ハイレベルのタイミング信号ＳＷ０を生成する。他方、ＡＮＤ回路１８７ｆは、タイミング生成回路１８４及び波形歪み検出回路１８６ｆの夫々の出力に基づいて、波形歪みが検出されていない場合（つまり、タイミング生成回路１８４から出力されるタイミング信号ＳＷ及び波形歪み検出回路１８６ｆから出力される波形歪み検出信号ＤＴのいずれか一方がローレベルである場合）には、ローレベルのタイミング信号ＳＷ０を生成する。つまり、第６変形例においては、波形歪みが検出されている場合に、選択的に波形歪みが補正される。【０２６０】
波形歪み検出回路１８６ｆは、図３９に示すように、シフトレジスタ１８３１ｆと、セレクタ１８３２ｆと、最大値検出回路１８３３ｆと、最小値検出回路１８３４ｆと、減算器１８３５ｆと、判定回路１８３６ｆとを備える。【０２６１】
波形歪み検出回路１８６ｆに入力される読取サンプル値系列ＲＳＣは、シフトレジスタ１８３１ｆに出力される。シフトレジスタ１８３１ｆは、入力される読取サンプル値系列ＲＳＣを１クロックずつシフトさせながら、出力Ｄ０からＤ１４としてセレクタ１８３２ｆへ出力する。【０２６２】
セレクタ１８３２ｆは、マーク／スペース長検出回路１８３から出力されるタイミングで、出力Ｄ０からＤ１４のうちからマーク／スペース長に基づいて、３つの出力を選択的にサンプルホールドし、歪み補正量検出回路１８３７ｆ、最大値検出回路１８３３ｆ及び最小値検出回路１８３４ｆの夫々に出力する。【０２６３】
より具体的には、セレクタ１８３２ｆは、マーク／スペース長検出回路１８３から出力されるマーク／スペース長が６Ｔである場合には、出力Ｄ０からＤ１４のうちから３つの出力Ｄ２、Ｄ３及びＤ４を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が７Ｔである場合には、出力Ｄ０からＤ１４のうちから３つの出力Ｄ２、Ｄ３及びＤ５を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が８Ｔである場合には、出力Ｄ０からＤ１４のうちから３つの出力Ｄ２、Ｄ４及びＤ６を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が９Ｔである場合には、出力Ｄ０からＤ１４のうちから３つの出力Ｄ２、Ｄ４及びＤ７を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が１０Ｔである場合には、出力Ｄ０からＤ１４のうちから３つの出力Ｄ２、Ｄ５及びＤ８を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が１１Ｔである場合には、出力Ｄ０からＤ１４のうちから３つの出力Ｄ２、Ｄ５及びＤ９を選択的にサンプルホールドし、歪み補正量検出回路１８３７ｆ、最大値検出回路１８３３ｆ及び最小値検出回路１８３４ｆの夫々に出力する。セレクタ１８３２ｆは、マーク／スペース長検出回路１８３から出力されるマーク／スペース長が１４Ｔである場合には、出力Ｄ０からＤ１４のうちから３つの出力Ｄ２、Ｄ７及びＤ１２を選択的にサンプルホールドし、歪み補正量検出回路１８３７ｆ、最大値検出回路１８３３ｆ及び最小値検出回路１８３４ｆの夫々に出力する。このようなセレクタ１８３２ｆの動作は、実質的には、図５（ａ）から図５（ｃ）及び図６（ａ）から図６（ｃ）に示す波形歪みの、前端部の信号レベル、中間部の信号レベル及び後端部の信号レベルを選択的に出力する動作に相当する。【０２６４】
その後、歪み補正量検出回路１８３７ｆにおいては、セレクタ１８３２ｆから出力される３つの出力（つまり、前端部の信号レベル、中間部の信号レベル及び後端部の夫々の信号レベル）のうち所望の１つの信号レベルが歪み補正量ａｍｄとして出力される。具体的には、図５（ａ）及び図６（ａ）に示すように中間部の信号レベルが変化してしまった波形歪みに対しては、例えば前端部の信号レベル又は後端部の信号レベルが歪み補正量ａｍｄとして出力される。図５（ｂ）及び図６（ｂ）に示すように前端部の信号レベルが変化してしまった波形歪みに対しては、例えば後端部の信号レベルが歪み補正量ａｍｄとして出力される。図５（ｃ）及び図６（ｃ）に示すように後端部の信号レベルが変化してしまった波形歪みに対しては、前端部の信号レベルが歪み補正量ａｍｄとして出力される。【０２６５】
また、最大値検出回路１８３３ｆにおいては、セレクタ１８３２ｆより出力される３つの出力の最大値（つまり、最大信号レベル）が検出され、該検出された最大値が減算器１８３５ｆへ出力される。【０２６６】
同様に、最小値検出回路１８３４ｆにおいては、セレクタ１８３２ｆより出力される３つの出力の最小値（つまり、最小信号レベル）が検出され、該検出された最小値が減算器１８３５ｆへ出力される。【０２６７】
その後、減算器１８３５ｆにおいて、最大値検出回路１８３３ｆにおいて検出された最大値から、最小値検出回路１８３４ｆにおいて検出された最小値が減算されることで、波形歪み量Ｄが算出される。【０２６８】
その後、判定回路１８３６ｆにおいて、減算器１８３５ｆより出力される波形歪み量が所定値ｘ以上であるか否かが判定される。波形歪み量Ｄが相対的に小さい場合には、波形歪みを検出したとはみなさず、ローレベルの波形歪み検出信号ＤＴを出力する。他方、波形歪み量Ｄが相対的に大きい場合（例えば、波形歪み率が概ね３０％以上である場合）には、波形歪みを検出したとみなして、ハイレベルの波形歪み検出信号ＤＴを出力する。【０２６９】
このように、波形歪みが検出された場合に選択的に波形歪みを補正することで、情報再生装置１ｆの負荷を低減させつつ、上述した各種効果を享受することができる。【０２７０】
加えて、波形歪みの信号レベルを、前端部の信号レベル、中間部の信号レベル及び後端部の夫々の信号レベルのうち所望の１つの信号レベルに補正することができる。このため、様々な形状の波形歪みを好適に補正することができる。具体的には、図７から図９を参照して説明した構成では、波形歪みの信号レベルを、前端部の信号レベルに補正しているため、特に図５（ｂ）及び図６（ｂ）に示すような前端部の信号レベルが変化してしまった波形歪みを好適に補正することができない。しかるに、第６変形例に係る情報再生装置１ｆによれば、このような波形歪みをも好適に補正することができる。【０２７１】
尚、波形歪みは、一般的には、光ディスク１００の記録面上に形成されるマークの形状や長さ等のばらつきに起因して発生する。従って、例えばＤＶＤ−Ｒ／ＲＷや、ＤＶＤ＋Ｒ／ＲＷや、ＤＶＤ−ＲＡＭや、ＢＤ−Ｒ／ＲＥ等の記録型の光ディスク１００において、波形歪みが発生しやすい。しかしながら、例えばＤＶＤ−ＲＯＭや、ＢＤ−ＲＯＭ等の再生専用型の光ディスク１００においても、図４０に示すように、相対的に長いマークから構成される同期データがトラッキング方向において隣接している場合には、波形歪みが生ずる。このような再生専用型の光ディスク１００において発生する波形歪みに対しても、上述した情報再生装置１によれば、好適に補正することができることは言うまでもない。【０２７２】
本発明は、上述した実施例に限られるものではなく、請求の範囲及び明細書全体から読み取れる発明の要旨或いは思想に反しない範囲で適宜変更可能であり、そのような変更を伴う情報再生装置及び方法、並びにコンピュータプログラムもまた本発明の技術的範囲に含まれるものである。
【図１】
2008068856.tif 000003
【図２】
2008068856.tif 000004
【図３】
2008068856.tif 000005
【図４】
2008068856.tif 000006
【図５】
2008068856.tif 000007
【図６】
2008068856.tif 000008
【図７】
2008068856.tif 000009
【図８】
2008068856.tif 000010
【図９】
2008068856.tif 000011
【図１０】
2008068856.tif 000012
【図１１】
2008068856.tif 000013
【図１２】
2008068856.tif 000014
【図１３】
2008068856.tif 000015
【図１４】
2008068856.tif 000016
【図１５】
2008068856.tif 000017
【図１６】
2008068856.tif 000018
【図１７】
2008068856.tif 000019
【図１８】
2008068856.tif 000020
【図１９】
2008068856.tif 000021
【図２０】
2008068856.tif 000022
【図２１】
2008068856.tif 000023
【図２２】
2008068856.tif 000024
【図２３】
2008068856.tif 000025
【図２４】
2008068856.tif 000026
【図２５】
2008068856.tif 000027
【図２６】
2008068856.tif 000028
【図２７】
2008068856.tif 000029
【図２８】
2008068856.tif 000030
【図２９】
2008068856.tif 000031
【図３０】
2008068856.tif 000032
【図３１】
2008068856.tif 000033
【図３２】
2008068856.tif 000034
【図３３】
2008068856.tif 000035
【図３４】
2008068856.tif 000036
【図３５】
2008068856.tif 000037
【図３６】
2008068856.tif 000038
【図３７】
2008068856.tif 000039
【図３８】
2008068856.tif 000040
【図３９】
2008068856.tif 000041
【図４０】
2008068856.tif 000042
【国際調査報告】
2008068856.tif 000043
2008068856.tif 000044
2008068856.tif 000045